(57)【要約】【課題】ＵＬ−ＤＬトラフィック比の変動に対して端末装置のリンク方向コンフィギュレーションをより迅速に追随させること。【解決手段】時分割複信方式に従って１つ以上の端末装置により行われる無線通信を制御する通信制御装置であって、複数のサブフレームを含むフレームの各々について、サブフレーム単位のリンク方向を表すリンク方向コンフィギュレーションを設定する設定部と、前記設定部により設定される前記リンク方向コンフィギュレーションを各端末装置へシグナリングする制御部と、を備え、前記設定部は、異なる周期で第１及び第２のリンク方向コンフィギュレーションを設定し、前記制御部は、第１の端末グループに属する端末装置へ前記第１のリンク方向コンフィギュレーションをシグナリングし、第２の端末グループに属する端末装置へ前記第２のリンク方向コンフィギュレーションをシグナリングする、通信制御装置を提供する。【選択図】図１９
2014006994.tif 000002
【特許請求の範囲】
【請求項１】
時分割複信（ＴＤＤ）方式に従って１つ以上の端末装置により行われる無線通信を制御する通信制御装置であって、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
を備え、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
通信制御装置。
【請求項２】
前記制御部は、ＳＩＢ（System  Information  Block）内で前記第１のリンク方向コンフィギュレーションをシグナリングし、前記ＳＩＢよりも短い更新周期を有する制御情報領域内で前記第２のリンク方向コンフィギュレーションをシグナリングする、請求項１に記載の画像処理装置。
【請求項３】
前記設定部は、設定されている前記第１のリンク方向コンフィギュレーションに基づいて限定されるコンフィギュレーションのセットから、設定すべき前記第２のリンク方向コンフィギュレーションを選択する、請求項２に記載の通信制御装置。
【請求項４】
前記設定部は、
前記第１のリンク方向コンフィギュレーションとして、アップリンク率のより高いコンフィギュレーションを設定し、
前記第２のリンク方向コンフィギュレーションとして、前記第１のリンク方向コンフィギュレーションのアップリンクサブフレームをダウンリンクサブフレームに置き換えることにより導かれるコンフィギュレーションを設定する、
請求項３に記載の通信制御装置。
【請求項５】
前記通信制御装置は、
前記第２のリンク方向コンフィギュレーションにおいて前記ダウンリンクサブフレームに置き換えられている前記アップリンクサブフレームについて、前記第１の端末グループに属する端末装置のアップリンク送信を許可しないスケジューリング部、
をさらに備える、請求項４に記載の通信制御装置。
【請求項６】
前記スケジューリング部は、前記第１の端末グループに属する端末装置へのダウンリンク送信を、当該ダウンリンク送信に関連付けられるＡＣＫ／ＮＡＣＫ送信のためのサブフレームが前記第２のリンク方向コンフィギュレーションにおいて前記アップリンクサブフレームとして指定されているサブフレームにのみスケジューリングする、請求項５に記載の通信制御装置。
【請求項７】
前記通信制御装置は、コンフィギュレーション候補ごとにアップリンク送信のタイミングと対応するアップリンク許可の送信タイミングとを関連付けるテーブルを記憶する記憶部、をさらに備え、
前記スケジューリング部は、前記第１の端末グループに属する端末装置のアップリンク送信に対応する前記アップリンク許可を送信するためのサブフレームを、前記テーブル内の前記第１のリンク方向コンフィギュレーションについてのエントリを参照することにより決定する、
請求項５に記載の通信制御装置。
【請求項８】
前記通信制御装置は、コンフィギュレーション候補ごとにアップリンク送信のタイミングと対応するＡＣＫ／ＮＡＣＫの送信タイミングとを関連付けるテーブルを記憶する記憶部、をさらに備え、
前記スケジューリング部は、前記第１の端末グループに属する端末装置のアップリンク送信に対して前記ＡＣＫ／ＮＡＣＫを送信するためのサブフレームを、前記テーブル内の前記第１のリンク方向コンフィギュレーションについてのエントリを参照することにより決定する、
請求項５に記載の通信制御装置。
【請求項９】
前記設定部は、
前記第１のリンク方向コンフィギュレーションとしてダウンリンク率のより高いコンフィギュレーションを設定すると共に、当該第１のリンク方向コンフィギュレーションのダウンリンクサブフレームの少なくとも１つをＭＢＳＦＮ（MBMS  Single  Frequency  Network）サブフレームに設定し、
前記第２のリンク方向コンフィギュレーションとして、前記第１のリンク方向コンフィギュレーションの前記ＭＢＳＦＮサブフレームをアップリンクサブフレームに置き換えることにより導かれるコンフィギュレーションを設定する、
請求項３に記載の通信制御装置。
【請求項１０】
前記設定部は、
前記第１のリンク方向コンフィギュレーションとは異なる前記第２のリンク方向コンフィギュレーションが設定可能であるダイナミックモード、及び前記第１のリンク方向コンフィギュレーションと同じ前記第２のリンク方向コンフィギュレーションが設定されるセミスタティックモードの双方で動作可能であり、
前記ダイナミックモードでの動作中に前記第１の端末グループのためにバッファリングされているトラフィック量が第１の閾値を上回ると、前記セミスタティックモードへ遷移する、
請求項３に記載の通信制御装置。
【請求項１１】
前記設定部は、前記セミスタティックモードでの動作中に前記第１の端末グループのためにバッファリングされているトラフィック量が第２の閾値を下回ると、前記ダイナミックモードへ遷移する、請求項１０に記載の通信制御装置。
【請求項１２】
前記設定部は、アップリンクトラフィックとダウンリンクトラフィックとの間のトラフィック量の比に基づいて、各フレームに設定すべき前記第１のリンク方向コンフィギュレーション及び前記第２のリンク方向コンフィギュレーションを選択する、請求項１に記載の通信制御装置。
【請求項１３】
前記第２の端末グループに属する端末装置は、前記第１の周期でリンク方向コンフィギュレーションが更新される第１の動作モード及び前記第２の周期でリンク方向コンフィギュレーションが更新される第２の動作モードの双方で動作可能であり、
前記制御部は、前記トラフィック量の比が所定の条件を満たす場合に、前記第２の端末グループに属する端末装置へ前記第２の動作モードへの切替えを指示する、
請求項１２に記載の通信制御装置。
【請求項１４】
前記通信制御装置は、基地局であり、
前記基地局は、前記第２のリンク方向コンフィギュレーションに従って無線信号を送信し及び受信する無線通信部、をさらに備える、
請求項１に記載の通信制御装置。
【請求項１５】
前記通信制御装置は、基地局を介して前記１つ以上の端末装置と通信する制御ノードである、請求項１に記載の通信制御装置。
【請求項１６】
時分割複信（ＴＤＤ）方式に従って１つ以上の端末装置により行われる無線通信を、通信制御装置において制御するための通信制御方法であって、
複数のサブフレームを含むフレームの各々について、サブフレーム単位のリンク方向を表す第１のリンク方向コンフィギュレーション及び第２のリンク方向コンフィギュレーションを設定することと、
第１の周期で、前記第１のリンク方向コンフィギュレーションを第１の端末グループに属する端末装置へシグナリングすることと、
前記第１の周期よりも短い第２の周期で、前記第２のリンク方向コンフィギュレーションを第２の端末グループに属する端末装置へシグナリングすることと、
を含む通信制御方法。
【請求項１７】
時分割複信（ＴＤＤ）方式に従って１つ以上の端末装置により行われる無線通信を制御する通信制御装置のコンピュータを、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
として機能させるためのプログラムであって、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
プログラム。
【請求項１８】
時分割複信（ＴＤＤ）方式で基地局と通信する無線通信部と、
前記基地局からシグナリングされるリンク方向コンフィギュレーションに従い、複数のサブフレームを含むフレームの各々について、サブフレーム単位のリンク方向を設定する制御部と、
を備える端末装置であって、
前記制御部は、第１の端末グループのために設定される第１のリンク方向コンフィギュレーションのシグナリング周期よりも短いシグナリング周期で、前記端末装置が属する第２の端末グループのために設定される第２のリンク方向コンフィギュレーションのシグナリングを前記無線通信部に受信させる、
端末装置。
【請求項１９】
時分割複信（ＴＤＤ）方式に従って無線通信する１つ以上の端末装置と、
前記１つ以上の端末装置により行われる前記無線通信を制御する通信制御装置と、
を含む通信制御システムであって、
前記通信制御装置は、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
を備え、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
通信制御システム。
【発明の詳細な説明】
【技術分野】
【０００１】
本開示は、通信制御装置、通信制御方法、プログラム、端末装置及び通信制御システムに関する。
【背景技術】
【０００２】
近年、ＬＴＥ（Long  Term  Evolution）方式と呼ばれる高速なセルラ無線通信方式が実用化されている。ＬＴＥ方式は、複信方式の違いに基づいて、ＦＤ−ＬＴＥ方式及びＴＤ−ＬＴＥ方式に分類される。ＦＤ−ＬＴＥ方式は複信方式として周波数分割複信（ＦＤＤ；Frequency  Division  Duplex）を採用し、アップリンク及びダウンリンクが互いに異なる周波数帯上で運用される。ＴＤ−ＬＴＥ方式は複信方式として時分割複信（ＴＤＤ；Time  Division  Duplex）を採用し、アップリンク及びダウンリンクが同じ周波数帯上で運用される。ＦＤ−ＬＴＥ方式及びＴＤ−ＬＴＥ方式の双方とも、それぞれ１ｍｓｅｃの時間長を有する１０個のサブフレームから（１０ｍｓｅｃの時間長を有する）１つの無線フレームが構成されるというフレームフォーマットを用いる。ＦＤ−ＬＴＥ方式では、同じ周波数帯においてリンク方向が時間的に変化しないのに対し、ＴＤ−ＬＴＥ方式では、サブフレーム単位でリンク方向が変化し得る。【０００３】
ＴＤ−ＬＴＥ方式において、各無線フレームについてのサブフレーム単位のリンク方向のセット（即ち、１０個のサブフレームのリンク方向の組合せ）を、リンク方向コンフィギュレーション（あるいはＵＬ−ＤＬコンフィギュレーション）という。下記非特許文献１によれば、Ｃｏｎｆｉｇｕｒａｔｉｏｎ０からＣｏｎｆｉｇｕｒａｔｉｏｎ６までの７種類のリンク方向コンフィギュレーションが定義されている。無線基地局（ＬＴＥ方式におけるｅＮＢ）は、各無線フレームに設定されるリンク方向コンフィギュレーションを、ＳＩＢ１（System  Information  Block  Type  1）の中でブロードキャストすることにより、端末装置（ＬＴＥ方式におけるＵＥ）へシグナリングする。現在の標準仕様では、ＳＩＢ１を用いて行われるリンク方向コンフィギュレーションの更新の周期は、６４０ｍｓｅｃである。下記非特許文献２は、この周期を３２０ｍｓｅｃに短縮することを提案している。
【先行技術文献】
【非特許文献】
【０００４】
【非特許文献１】“3GPP  TS  36.211  V10.0.0  (2010-12)”,  December  22，  2010
【非特許文献２】“Semi-static  reconfiguration  of  TDD  UL-DL  configuration”,  R1-122266,  3GPP  TSG  RAN  WG1  Meeting  #69，  Prague，  Czech  Republic，  May  21-25，  2012
【発明の概要】
【発明が解決しようとする課題】
【０００５】
しかしながら、６４０ｍｓｅｃ又は３２０ｍｓｅｃのシグナリング周期は、アップリンクトラフィックとダウンリンクトラフィックとの間の比率（ＵＬ−ＤＬトラフィック比）の変動が激しくなってきている現代の無線通信環境において、十分とは言えない。リンク方向コンフィギュレーションの更新がＵＬ−ＤＬトラフィック比の変動に追いつかなければ、バッファ待機中の（buffered）トラフィック量が増加し、リソース効率の低下及びスループットの低下という問題が生じ得る。【０００６】
従って、ＵＬ−ＤＬトラフィック比の変動に対して端末装置のリンク方向コンフィギュレーションをより迅速に追随させることのできる仕組みが提供されることが望ましい。
【課題を解決するための手段】
【０００７】
本開示によれば、時分割複信（ＴＤＤ）方式に従って１つ以上の端末装置により行われる無線通信を制御する通信制御装置であって、複数のサブフレームを含むフレームの各々について、サブフレーム単位のリンク方向を表すリンク方向コンフィギュレーションを設定する設定部と、前記設定部により設定される前記リンク方向コンフィギュレーションを各端末装置へシグナリングする制御部と、を備え、前記設定部は、第１の端末グループのために第１のリンク方向コンフィギュレーションを設定し、第２の端末グループのために第２のリンク方向コンフィギュレーションを設定し、前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、通信制御装置が提供される。【０００８】
また、本開示によれば、時分割複信（ＴＤＤ）方式に従って１つ以上の端末装置により行われる無線通信を、通信制御装置において制御するための通信制御方法であって、複数のサブフレームを含むフレームの各々について、サブフレーム単位のリンク方向を表す第１のリンク方向コンフィギュレーション及び第２のリンク方向コンフィギュレーションを設定することと、第１の周期で、前記第１のリンク方向コンフィギュレーションを第１の端末グループに属する端末装置へシグナリングすることと、前記第１の周期よりも短い第２の周期で、前記第２のリンク方向コンフィギュレーションを第２の端末グループに属する端末装置へシグナリングすることと、を含む通信制御方法が提供される。【０００９】
また、本開示によれば、時分割複信（ＴＤＤ）方式に従って１つ以上の端末装置により行われる無線通信を制御する通信制御装置のコンピュータを、複数のサブフレームを含むフレームの各々について、サブフレーム単位のリンク方向を表すリンク方向コンフィギュレーションを設定する設定部と、前記設定部により設定される前記リンク方向コンフィギュレーションを各端末装置へシグナリングする制御部と、として機能させるためのプログラムであって、前記設定部は、第１の端末グループのために第１のリンク方向コンフィギュレーションを設定し、第２の端末グループのために第２のリンク方向コンフィギュレーションを設定し、前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、プログラムが提供される。【００１０】
また、本開示によれば、時分割複信（ＴＤＤ）方式で基地局と通信する無線通信部と、前記基地局からシグナリングされるリンク方向コンフィギュレーションに従い、複数のサブフレームを含むフレームの各々について、サブフレーム単位のリンク方向を設定する制御部と、を備える端末装置であって、前記制御部は、第１の端末グループのために設定される第１のリンク方向コンフィギュレーションのシグナリング周期よりも短いシグナリング周期で、前記端末装置が属する第２の端末グループのために設定される第２のリンク方向コンフィギュレーションのシグナリングを前記無線通信部に受信させる、端末装置が提供される。【００１１】
また、本開示によれば、時分割複信（ＴＤＤ）方式に従って無線通信する１つ以上の端末装置と、前記１つ以上の端末装置により行われる前記無線通信を制御する通信制御装置と、を含む通信制御システムであって、前記通信制御装置は、複数のサブフレームを含むフレームの各々について、サブフレーム単位のリンク方向を表すリンク方向コンフィギュレーションを設定する設定部と、前記設定部により設定される前記リンク方向コンフィギュレーションを各端末装置へシグナリングする制御部と、を備え、前記設定部は、第１の端末グループのために第１のリンク方向コンフィギュレーションを設定し、第２の端末グループのために第２のリンク方向コンフィギュレーションを設定し、前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、通信制御システムが提供される。
【発明の効果】
【００１２】
本開示に係る技術によれば、ＵＬ−ＤＬトラフィック比の変動に対して端末装置のリンク方向コンフィギュレーションをより迅速に追随させることができる。
【図面の簡単な説明】
【００１３】
【図１】ＴＤ−ＬＴＥにおけるリンク方向コンフィギュレーションの一例について説明するための説明図である。
【図２】ＴＤ−ＬＴＥにおいて設定可能なリンク方向コンフィギュレーションの一覧を示す説明図である。
【図３Ａ】バッファステータスに応じたリンク方向コンフィギュレーションの設定について説明するための第１の説明図である。
【図３Ｂ】バッファステータスに応じたリンク方向コンフィギュレーションの設定について説明するための第２の説明図である。
【図４】新たなメッセージを用いたリンク方向コンフィギュレーションのシグナリングについて説明するための説明図である。
【図５Ａ】ＣＲＳ（Cell-specific  Reference  Symbol）を含むサブフレームの第１の例を示す説明図である。
【図５Ｂ】ＣＲＳを含むサブフレームの第２の例を示す説明図である。
【図６】リンク方向の相違の影響を解決するための第１の手法について説明するための説明図である。
【図７】第１の手法におけるレガシー用及びダイナミックＴＤＤ用コンフィギュレーションの組合せについて説明するための説明図である。
【図８】第１の手法において設定されるリンク方向コンフィギュレーションの一例について時間軸に沿って説明するための説明図である。
【図９】リンク方向の相違の影響を解決するための第２の手法について説明するための説明図である。
【図１０】第２の手法におけるレガシー用及びダイナミックＴＤＤ用コンフィギュレーションの組合せについて説明するための説明図である。
【図１１】第２の手法において設定されるリンク方向コンフィギュレーションの一例について時間軸に沿って説明するための説明図である。
【図１２】ダイナミックコンフィギュレーションメッセージが送信される制御情報領域の一例について説明するための説明図である。
【図１３】レガシー端末が関与する制御シグナリングについてのリンク方向の相違の影響の第１の例について説明するための説明図である。
【図１４】レガシー端末が関与する制御シグナリングについてのリンク方向の相違の影響の第２の例について説明するための説明図である。
【図１５】レガシー端末が関与する制御シグナリングについてのリンク方向の相違の影響の第３の例について説明するための説明図である。
【図１６】一実施形態に係る通信制御システムの構成の一例を示す説明図である。
【図１７】レガシー端末の構成の一例を示すブロック図である。
【図１８】一実施形態に係るダイナミックＴＤＤ端末の構成の一例を示すブロック図である。
【図１９】一実施形態に係る通信制御装置の構成の一例を示すブロック図である。
【図２０】第１の手法における設定モード間の遷移の一例を示す状態遷移図である。
【図２１】第２の手法における設定モード間の遷移の一例を示す状態遷移図である。
【図２２】ダイナミックＴＤＤ端末により実行される通信処理の流れの一例を示すフローチャートである。
【図２３Ａ】第１の手法に従って実行される通信制御処理の流れの一例を示すフローチャートの第１の部分である。
【図２３Ｂ】第１の手法に従って実行される通信制御処理の流れの一例を示すフローチャートの第２の部分である。
【図２４Ａ】第２の手法に従って実行される通信制御処理の流れの一例を示すフローチャートの第１の部分である。
【図２４Ｂ】第２の手法に従って実行される通信制御処理の流れの一例を示すフローチャートの第２の部分である。
【発明を実施するための形態】
【００１４】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１５】
また、以下の順序で説明を行う。
１．概要
１−１．リンク方向コンフィギュレーションの設定
１−２．リンク方向コンフィギュレーションのシグナリング
１−３．基本的な原理
２．通信制御システムの構成
２−１．システムの概要
２−２．レガシー端末の構成例
２−３．ダイナミックＴＤＤ端末の構成例
２−４．通信制御装置の構成例
２−５．設定モードの遷移
３．処理の流れの例
３−１．端末側の処理
３−２．ネットワーク側の処理
４．まとめ
【００１６】
＜１．概要＞
［１−１．リンク方向コンフィギュレーションの設定］
図１は、ＴＤ−ＬＴＥにおけるリンク方向コンフィギュレーションの一例について説明するための説明図である。図１を参照すると、ＬＴＥ方式において採用される無線フレームのフレームフォーマットが示されている。１つの無線フレーム（radio  frame）は、１０個のサブフレーム（＃０〜＃９）を含む。各サブフレームの時間長は１ｍｓｅｃでり、１つの無線フレームの時間長は１０ｍｓｅｃである。リンク方向は、サブフレーム単位で設定される。図１の例において、「Ｄ」とラベリングされたサブフレームのリンク方向はダウンリンクであり、当該サブフレームをダウンリンクサブフレームという。「Ｕ」とラベリングされたサブフレームのリンク方向はアップリンクであり、当該サブフレームをアップリンクサブフレームという。「Ｓ」とラベリングされたサブフレームは、ＴＤ−ＬＴＥに特有のスペシャルサブフレームである。図１に例示したように、基地局（ｅＮＢ）から送信されるダウンリンク信号は、遅延ｄＴと共に端末装置（ＵＥ）へ到達する。端末装置は、基地局へ到達するアップリンク信号の遅延ｄＴを考慮に入れて、基地局のアップリンクサブフレームのタイミングよりも先行してアップリンク信号を送信する。スペシャルサブフレームは、ダウンリンクサブフレームからアップリンクサブフレームへの切替えのタイミングで挿入され、端末装置でのダウンリンク信号の受信及びアップリンク信号の送信のタイミングが重ならないようにする緩衝期間としての役割を有する。スペシャルサブフレームは、ＵＥによりダウンリンク信号が受信されるダウンリンクパイロットタイムスロットと、ガード期間（Guard  Period）と、ＵＥによりアップリンク信号が送信されるアップリンクパイロットタイムスロットとを含む。なお、スペシャルサブフレームにおいても基地局から端末装置へダウンリンクデータは送信され得る。その意味において、スペシャルサブフレームはダウンリンクサブフレームの一種であると見なすこともできる。
【００１７】
図２は、上記非特許文献１において定義されている、ＴＤ−ＬＴＥにおいて設定可能な７種類のリンク方向コンフィギュレーションの一覧を示している。図２から理解されるように、０番目のサブフレーム（＃０）及び５番目のサブフレーム（＃５）は、いずれのコンフィギュレーションにおいてもダウンリンクサブフレームに設定される。１番目のサブフレーム（＃１）は、いずれのコンフィギュレーションにおいてもスペシャルサブフレームに設定される。２番目のサブフレーム（＃２）は、いずれのコンフィギュレーションにおいてもアップリンクサブフレームに設定される。残りのサブフレームの設定は、コンフィギュレーションごとに異なる。
【００１８】
図２の右端には、アップリンクサブフレームの数とダウリンクサブフレームの数との構成比（ＵＬ−ＤＬ構成比）が示されている。Ｃｏｎｆｉｇｕｒａｔｉｏｎ０において、アップリンクサブフレームの数は６個、ダウンリンクサブフレームの数は２個であり、ＵＬ−ＤＬ構成比は６：２である。Ｃｏｎｆｉｇｕｒａｔｉｏｎ１において、アップリンクサブフレームの数は４個、ダウンリンクサブフレームの数は４個であり、ＵＬ−ＤＬ構成比は４：４である。Ｃｏｎｆｉｇｕｒａｔｉｏｎ２において、アップリンクサブフレームの数は２個、ダウンリンクサブフレームの数は６個であり、ＵＬ−ＤＬ構成比は２：６である。Ｃｏｎｆｉｇｕｒａｔｉｏｎ３において、アップリンクサブフレームの数は３個、ダウンリンクサブフレームの数は６個であり、ＵＬ−ＤＬ構成比は３：６である。Ｃｏｎｆｉｇｕｒａｔｉｏｎ４において、アップリンクサブフレームの数は２個、ダウンリンクサブフレームの数は７個であり、ＵＬ−ＤＬ構成比は２：７である。Ｃｏｎｆｉｇｕｒａｔｉｏｎ５において、アップリンクサブフレームの数は１個、ダウンリンクサブフレームの数は８個であり、ＵＬ−ＤＬ構成比は１：８である。Ｃｏｎｆｉｇｕｒａｔｉｏｎ６において、アップリンクサブフレームの数は５個、ダウンリンクサブフレームの数は３個であり、ＵＬ−ＤＬ構成比は５：３である。
【００１９】
ＴＤ−ＬＴＥ方式に従って動作する無線通信システムは、７種類のリンク方向コンフィギュレーションのうちのいずれを用いるべきかを、ＵＬ−ＤＬトラフィック比に基づいて決定し得る。一般的に、アップリンク信号は、送信が許可される前に、端末装置のアップリンクバッファによりバッファリングされる。一方、ダウンリンク信号は、送信がスケジューリングされる前に、コアネットワーク内のＰ−ＧＷ（PDN  Gateway）によりバッファリングされる。バッファ待機中のトラフィック量がバッファ容量を超えると、バッファオーバフローが発生する。また、所定の期間を超えてバッファリングされたトラフィックは、タイムアウトとして破棄され得る。そこで、端末装置は、バッファ待機中のアップリンクトラフィック量を示すバッファステータスレポートを、周期的に基地局へ送信する。Ｐ−ＧＷは、バッファ待機中のダウンリンクトラフィック量を示すバッファシグナリングを提供する。それにより、基地局又はその他の制御ノード内のスケジューラが、各セルについてのＵＬ−ＤＬトラフィック比を算出することができる。例えば、図３Ａの例では、バッファ待機中のダウンリンクトラフィックよりも、バッファ待機中のアップリンクトラフィックの方が多い。この場合、アップリンク率の高いリンク方向コンフィギュレーションを設定することにより、バッファ待機中のアップリンクトラフィックを減少させることができる。一方、図３Ｂの例では、バッファ待機中のアップリンクトラフィックよりも、バッファ待機中のダウンリンクトラフィックの方が多い。この場合、ダウンリンク率の高いリンク方向コンフィギュレーションを設定することにより、バッファ待機中のダウンリンクトラフィックを減少させることができる。
【００２０】
［１−２．リンク方向コンフィギュレーションのシグナリング］
基地局又はその他の制御ノードにより設定されたリンク方向コンフィギュレーションは、基地局から端末装置へのＳＩＢ１を用いたブロードキャストによってシグナリングされる。現在の標準仕様におけるＳＩＢ１の更新の周期は、６４０ｍｓｅｃである。上記非特許文献２によれば、ＳＩＢ１を用いたリンク方向コンフィギュレーションの更新の周期は、３２０ｍｓｅｃに短縮され得る。ＳＩＢ１は、ＤＬ−ＳＣＨ（Downlink  Shared  Channel）にマッピングされる様々なタイプのＳＩＢ（System  Information  Block）のうちの１つである。ＳＩＢを搬送するメッセージを、ＳＩ（System  Information）メッセージという。ＳＩメッセージの最短の送信周期は、８０ｍｓｅｃである。従って、ＳＩメッセージでリンク方向コンフィギュレーションがシグナリングされる限り、リンク方向コンフィギュレーションの更新周期は最短で８０ｍｓｅｃである。
【００２１】
近年、無線通信のトラフィックは飛躍的に増加している。ＵＬ−ＤＬトラフィック比は、頻繁に変動する。従って、既存の手法におけるリンク方向コンフィギュレーションのシグナリング周期は、ＵＬ−ＤＬトラフィック比の変動に追随するために十分とは言えない。リンク方向コンフィギュレーションの更新がＵＬ−ＤＬトラフィック比の変動に追いつかなければ、バッファ待機中のトラフィック量が増加し、リソース効率の低下及びスループットの低下が引き起こされる。シグナリングオーバヘッドを考慮しないとすると、１つの無線フレームの時間長が１０ｍｓｅｃであることから、リンク方向コンフィギュレーションの理想的な更新の周期は、１０ｍｓｅｃである。但し、リンク方向コンフィギュレーションのシグナリングの仕組みを既存の手法から全く変更すれば、既存の端末装置がリンク方向コンフィギュレーションを取得できず動作不能に陥ってしまう。そこで、本開示に係る技術では、以下に説明するような新たな仕組みによって、既存の端末装置へのインパクトを最小化しつつ、ＵＬ−ＤＬトラフィック比の変動に対するリンク方向コンフィギュレーションの迅速な追随を可能とする。
【００２２】
［１−３．基本的な原理］
（１）新たなシグナリングメッセージ
本開示に係る技術では、既存の手法よりも短い周期でリンク方向コンフィギュレーションを端末装置へシグナリングするためのＳＩメッセージとは異なる新たなメッセージが導入される。導入される当該新たなメッセージを、本明細書では、ダイナミックコンフィギュレーションメッセージという。また、リンク方向コンフィギュレーションの設定のためにＳＩメッセージのみを受信する端末装置を、レガシー端末（レガシーＵＥ）という。これに対し、ダイナミックコンフィギュレーションメッセージを受信する端末装置を、ダイナミックＴＤＤ端末（ダイナミックＴＤＤ  ＵＥ）という。
【００２３】
図４は、ダイナミックコンフィギュレーションメッセージを用いたリンク方向コンフィギュレーションのシグナリングについて説明するための説明図である。
【００２４】
図４の上段には、レガシー端末が周期Ｃ１でＳＩＢ１を搬送するＳＩメッセージを周期的に受信する様子が示されている。ＳＩＢ１は、その時点でレガシー端末のために設定されているリンク方向コンフィギュレーションの識別子（図２に例示したコンフィギュレーション番号０〜６のいずれか）を含む。このリンク方向コンフィギュレーションに従って、レガシー端末は、自らの無線通信回路のリンク方向をサブフレーム単位で設定する。ＳＩメッセージのシグナリング周期Ｃ１は、例えば、３２０ｍｓｅｃである。ここで、仮にＳＩメッセージの受信から２０ｍｓｅｃ後の時点でＵＬ−ＤＬトラフィック比が大きく変動したとすると、次のＳＩメッセージの受信までの３００ｍｓｅｃの期間にわたって、設定されているリンク方向コンフィギュレーションとＵＬ−ＤＬトラフィック比との間のミスマッチが継続する。
【００２５】
図４の下段には、ダイナミックＴＤＤ端末が周期Ｃ２（＜Ｃ１）でダイナミックコンフィギュレーションメッセージを周期的に受信する様子が示されている。ダイナミックコンフィギュレーションメッセージは、その時点でダイナミックＴＤＤ端末のために設定されているリンク方向コンフィギュレーションの識別子（図２に例示したコンフィギュレーション番号０〜６のいずれか）を含む。このリンク方向コンフィギュレーションに従って、ダイナミックＴＤＤ端末は、自らの無線通信回路のリンク方向をサブフレーム単位で設定する。ダイナミックコンフィギュレーションメッセージのシグナリング周期Ｃ２は、１０ｍｓｅｃの整数倍であってよい。例えば、シグナリング周期Ｃ２＝４０ｍｓｅｃであれば、リンク方向コンフィギュレーションとＵＬ−ＤＬトラフィック比との間のミスマッチが継続する期間は、最悪のケースでも４０ｍｓｅｃである。
【００２６】
図４から理解されるように、本開示に係る技術において、基地局は、ＳＩメッセージを用いてレガシー端末へ第１のリンク方向コンフィギュレーションをシグナリングし、ダイナミックコンフィギュレーションメッセージを用いてダイナミックＴＤＤ端末へ第２のリンク方向コンフィギュレーションをシグナリングする。本明細書において、周期Ｃ１で更新され得る第１のリンク方向コンフィギュレーションを、レガシー用コンフィギュレーションという。また、周期Ｃ２で更新され得る第２のリンク方向コンフィギュレーションを、ダイナミックＴＤＤ用コンフィギュレーションという。基地局は、これら２つのコンフィギュレーションをシグナリングするものの、実際には、後に説明するようにダイナミックＴＤＤ用コンフィギュレーションに従って動作する。
【００２７】
ダイナミックＴＤＤ用コンフィギュレーションがレガシー用コンフィギュレーションよりも短い周期で更新される結果として、これら２つのコンフィギュレーションの間にリンク方向の相違が発生する。２つのコンフィギュレーションの間のリンク方向の相違は、レガシー端末の同期動作、並びにレガシー端末が関与するＡＣＫ／ＮＡＣＫ及びアップリンク許可のタイミングに影響を与える可能性がある。
【００２８】
（２）レガシー端末の同期動作への影響
一般的に、端末装置の同期動作は、初期同期及び同期トラッキングを含む。初期同期は、端末装置の動作タイミングが基地局の動作タイミングに全く同期していない状態からの同期を指す。初期同期は、端末装置がＰＳＳ（Primary  Synchronization  Signal）及びＳＳＳ（Secondary  Synchronization  Signal）をサーチすることにより行われる。端末装置は、初期同期を通じて、接続先のセルのセルＩＤを取得し、無線フレームの大まかなタイミングを知る。同期トラッキングは、初期同期が完了した後、同期精度を向上するために実行される。同期トラッキングは、端末装置がＣＲＳ（Cell-specific  Reference  Symbol）を受信することにより行われる。ＣＲＳは、図５Ａに例示されるように、原則として、各ダウンリンクサブフレームのＰＤＣＣＨ（Physical  Downlink  Control  Channel）及びＰＤＳＣＨ（Physical  Downlink  Shared  Channel）に分散的に挿入される。端末装置は、アイドルモード（RRC_Idle）及びアクティブモード（RRC_Connected）の双方において、自らを宛て先とするデータが存在するかに関わらず、これらダウンリンクサブフレームのＣＲＳを受信することにより、動作タイミングの同期を維持する。なお、ダウンリンクサブフレームがＭＢＳＦＮ（MBMS  Single  Frequency  Network）サブフレームに設定されると、当該ダウンリンクサブフレームのＰＤＳＣＨは、ＭＢＭＳ（Multimedia  Broadcast  Multicast  Services）信号のブロードキャスト又はマルチキャストのためにのみ使用される。図５Ｂに例示されるように、ＭＢＳＦＮサブフレームのＰＤＳＣＨには、ＣＲＳは挿入されない。
【００２９】
ここで、例えば、レガシー用コンフィギュレーションとしてＣｏｎｆｉｇｕｒａｔｉｏｎ２、ダイナミックＴＤＤ用コンフィギュレーションとしてＣｏｎｆｉｇｕｒａｔｉｏｎ４が設定されたものとする（図２参照）。基地局はダイナミックＴＤＤ用コンフィギュレーションに従って動作するため、３番目のサブフレーム（＃３）のリンク方向はアップリンクであり、７番目のサブフレーム（＃７）のリンク方向はダウンリンクである。しかし、レガシー端末は、レガシー用コンフィギュレーションに従って、３番目のサブフレームのリンク方向はダウンリンク、７番目のサブフレームのリンク方向はアップリンクであると認識する。そして、レガシー端末は、３番目のサブフレームにおいて同期トラッキングのためにＣＲＳの受信を試みる。しかし、基地局は実際にはアップリンクサブフレームである当該サブフレームにおいてＣＲＳを送信しない。結果として、レガシー端末の同期トラッキングの精度が低下するリスクが生じる。なお、７番目のサブフレームでは、基地局はＣＲＳを送信するものの、レガシー端末は当該ＣＲＳを受信しない。しかし、一部のＣＲＳが受信されないとしても、レガシー端末の同期トラッキングの精度は低下しないため、７番目のサブフレームのリンク方向の相違の影響は小さい。
【００３０】
新たなダイナミックコンフィギュレーションメッセージの導入によって生じ得る上述したレガシー端末の同期動作への影響は、以下に説明する第１の手法又は第２の手法によって解決され得る。
【００３１】
（２−ａ）第１の手法
第１の手法では、レガシー用コンフィギュレーションとして、アップリンク率のより高いコンフィギュレーションが設定される。そして、ダイナミックＴＤＤ用コンフィギュレーションとして、レガシー用コンフィギュレーションのアップリンクサブフレームをダウンリンクサブフレームに置き換えることにより導かれるコンフィギュレーションが設定される。スペシャルサブフレームもまた、ダウンリンクサブフレームに置き換えられてよい。
【００３２】
図６は、リンク方向の相違の影響を解決するための第１の手法について説明するための説明図である。図６の上段には、レガシー用コンフィギュレーションとして設定され得るＣｏｎｆｉｇｕｒａｔｉｏｎ０が示されている。Ｃｏｎｆｉｇｕｒａｔｉｏｎ０の０番目及び５番目のサブフレームはダウンリンクサブフレーム、１番目及び６番目のサブフレームはスペシャルサブフレーム、２番目〜４番目及び７番目〜９番目のサブフレームはアップリンクサブフレームである。ＣＲＳは、０番目及び５番目のサブフレームにおいて基地局から送信される。ダイナミックＴＤＤ用コンフィギュレーションもまた、Ｃｏｎｆｉｇｕｒａｔｉｏｎ０であってよい。但し、Ｃｏｎｆｉｇｕｒａｔｉｏｎ０のＵＬ−ＤＬ構成比がＵＬ−ＤＬトラフィック比に適合しない場合には、ダイナミックＴＤＤ用コンフィギュレーションは、Ｃｏｎｆｉｇｕｒａｔｉｏｎ０のアップリンクサブフレーム（及びスペシャルサブフレーム）の１つ以上をダウンリンクサブフレームに置き換えることにより導かれるいずれかのリンク方向コンフィギュレーションに更新される。図６の下段の例では、ダイナミックＴＤＤ用コンフィギュレーションは、Ｃｏｎｆｉｇｕｒａｔｉｏｎ３に設定されている。Ｃｏｎｆｉｇｕｒａｔｉｏｎ３において、Ｃｏｎｆｉｇｕｒａｔｉｏｎ０の６番目のサブフレーム（スペシャルサブフレーム）並びに７番目及〜９番目のサブフレーム（アップリンクサブフレーム）は、ダウンリンクサブフレームに置き換えられている。
【００３３】
図６の例において、レガシー端末がＣＲＳを受信する０番目及び５番目のサブフレームでは、Ｃｏｎｆｉｇｕｒａｔｉｏｎ３に従って実際に基地局からＣＲＳが送信される。従って、レガシー端末は、これらＣＲＳを受信することにより正常に同期トラッキングを実行することができる。
【００３４】
一方、図６の例において、レガシー端末が例えば７番目のサブフレームでアップリンク信号を送信すると、７番目のサブフレームは実際にはダウンリンクサブフレームであるため、送信されたアップリンク信号は基地局により受信されない。むしろ、当該アップリンク信号が（他の端末装置により受信される）ダウンリンク信号に有害な干渉を与える可能背がある。そこで、第１の手法において、スケジューラは、ダイナミックＴＤＤ用コンフィギュレーションにおいてダウンリンクサブフレームへの置き換えが行われたサブフレームについて、レガシー端末のアップリンク送信を許可（grant）しない。それにより、レガシー端末による無駄なアップリンク信号の送信を回避し、干渉を予防することができる。
【００３５】
図７のマトリクスは、第１の手法におけるレガシー用コンフィギュレーション及びダイナミックＴＤＤ用コンフィギュレーションの選択可能な組合せを示している。マトリクスの横軸はレガシー用コンフィギュレーション、縦軸はダイナミックＴＤＤ用コンフィギュレーションにそれぞれ対応する。図中で“Ｎ”とラベリングされた組合せは、第１の手法において選択されない組合せである。例えば、レガシー用コンフィギュレーションがＣｏｎｆｉｇｕｒａｔｉｏｎ０であれば、ダイナミックＴＤＤ用コンフィギュレーションとして７種類の全てのリンク方向コンフィギュレーションが選択可能である。レガシー用コンフィギュレーションがＣｏｎｆｉｇｕｒａｔｉｏｎ１であれば、ダイナミックＴＤＤ用コンフィギュレーションとしてＣｏｎｆｉｇｕｒａｔｉｏｎ１、２、４及び５が選択可能である。レガシー用コンフィギュレーションがＣｏｎｆｉｇｕｒａｔｉｏｎ２であれば、ダイナミックＴＤＤ用コンフィギュレーションとしてＣｏｎｆｉｇｕｒａｔｉｏｎ２及び５が選択可能である。レガシー用コンフィギュレーションがＣｏｎｆｉｇｕｒａｔｉｏｎ３であれば、ダイナミックＴＤＤ用コンフィギュレーションとしてＣｏｎｆｉｇｕｒａｔｉｏｎ３、４及び５が選択可能である。レガシー用コンフィギュレーションがＣｏｎｆｉｇｕｒａｔｉｏｎ４であれば、ダイナミックＴＤＤ用コンフィギュレーションとしてＣｏｎｆｉｇｕｒａｔｉｏｎ４及び５が選択可能である。レガシー用コンフィギュレーションがＣｏｎｆｉｇｕｒａｔｉｏｎ５であれば、ダイナミックＴＤＤ用コンフィギュレーションとしてＣｏｎｆｉｇｕｒａｔｉｏｎ５のみが選択可能である。レガシー用コンフィギュレーションがＣｏｎｆｉｇｕｒａｔｉｏｎ６であれば、ダイナミックＴＤＤ用コンフィギュレーションとしてＣｏｎｆｉｇｕｒａｔｉｏｎ１、２、３、４、５及び６が選択可能である。図中で“Ｎ”とラベリングされた組合せはいずれも、レガシー用コンフィギュレーションではダウンシンクサブフレームであって、ダイナミックＴＤＤ用コンフィギュレーションではアップリンクサブフレームであるサブフレームが存在する組合せである。そのような組合せの選択が禁止されることにより、レガシー端末がＣＲＳの受信を試行した際にＣＲＳではない信号を誤って受信してしまうことを防止することができる。
【００３６】
図８は、第１の手法において設定されるリンク方向コンフィギュレーションの一例について時間軸に沿って説明するための説明図である。
【００３７】
時刻Ｔ１１において、レガシー端末は、ＳＩメッセージＭ０１を受信し、ＳＩメッセージＭ０１において指定されたＣｏｎｆｉｇｕｒａｔｉｏｎ０を自らの無線通信回路に設定する。ここで設定されたレガシー端末のリンク方向コンフィギュレーションは、次のＳＩメッセージＭ０２が受信される時刻Ｔ１４まで維持される。一方、ダイナミックＴＤＤ端末は、時刻Ｔ１１において、ダイナミックコンフィギュレーションメッセージＭ１１を受信し、メッセージＭ１１において指定されたＣｏｎｆｉｇｕｒａｔｉｏｎ０を自らの無線通信回路に設定する。その後、ダイナミックＴＤＤ端末は、時刻Ｔ１２において、ダイナミックコンフィギュレーションメッセージＭ１２を受信し、メッセージＭ１２において指定されたＣｏｎｆｉｇｕｒａｔｉｏｎ１を自らの無線通信回路に設定する。ここで設定されたダイナミックＴＤＤ端末のリンク方向コンフィギュレーションは、次のダイナミックコンフィギュレーションメッセージＭ１３が受信される時刻Ｔ１３まで維持される。Ｃｏｎｆｉｇｕｒａｔｉｏｎ１において、Ｃｏｎｆｉｇｕｒａｔｉｏｎ０の４番目及び９番目のアップリンクサブフレームがダウンリンクサブフレームに置き換えられている。従って、時刻Ｔ１２から時刻Ｔ１３までの期間において、４番目及び９番目のサブフレームでのレガシー端末のアップリンク送信は許可されない。時刻Ｔ１３において、ダイナミックＴＤＤ端末は、ダイナミックコンフィギュレーションメッセージＭ１３を受信し、メッセージＭ１３において指定されたＣｏｎｆｉｇｕｒａｔｉｏｎ６を自らの無線通信回路に設定する。ここで設定されたダイナミックＴＤＤ端末のリンク方向コンフィギュレーションは、次のダイナミックコンフィギュレーションメッセージが受信される時刻まで維持される。Ｃｏｎｆｉｇｕｒａｔｉｏｎ６において、Ｃｏｎｆｉｇｕｒａｔｉｏｎ０の９番目のアップリンクサブフレームがダウンリンクサブフレームに置き換えられている。従って、ダイナミックＴＤＤ用コンフィギュレーションとしてＣｏｎｆｉｇｕｒａｔｉｏｎ６が設定されている期間において、９番目のサブフレームでのレガシー端末のアップリンク送信は許可されない。
【００３８】
続いて、時刻Ｔ１４において、レガシー端末は、ＳＩメッセージＭ０２を受信し、ＳＩメッセージＭ０２において指定されたＣｏｎｆｉｇｕｒａｔｉｏｎ３を自らの無線通信回路に設定する。ここで設定されたレガシー端末のリンク方向コンフィギュレーションは、次のＳＩメッセージが受信される時刻Ｔ１７まで維持される。一方、ダイナミックＴＤＤ端末は、時刻Ｔ１４において、ダイナミックコンフィギュレーションメッセージＭ１６を受信し、メッセージＭ１６において指定されたＣｏｎｆｉｇｕｒａｔｉｏｎ３を自らの無線通信回路に設定する。その後、ダイナミックＴＤＤ端末は、時刻Ｔ１５において、ダイナミックコンフィギュレーションメッセージＭ１７を受信し、メッセージＭ１７において指定されたＣｏｎｆｉｇｕｒａｔｉｏｎ４を自らの無線通信回路に設定する。ここで設定されたダイナミックＴＤＤ端末のリンク方向コンフィギュレーションは、次のダイナミックコンフィギュレーションメッセージＭ１８が受信される時刻Ｔ１６まで維持される。Ｃｏｎｆｉｇｕｒａｔｉｏｎ４において、Ｃｏｎｆｉｇｕｒａｔｉｏｎ３の４番目のアップリンクサブフレームがダウンリンクサブフレームに置き換えられている。従って、時刻Ｔ１５から時刻Ｔ１６までの期間において、４番目のサブフレームでのレガシー端末のアップリンク送信は許可されない。時刻Ｔ１６において、ダイナミックＴＤＤ端末は、ダイナミックコンフィギュレーションメッセージＭ１８を受信し、メッセージＭ１８において指定されたＣｏｎｆｉｇｕｒａｔｉｏｎ５を自らの無線通信回路に設定する。ここで設定されたダイナミックＴＤＤ端末のリンク方向コンフィギュレーションは、次のダイナミックコンフィギュレーションメッセージが受信される時刻まで維持される。Ｃｏｎｆｉｇｕｒａｔｉｏｎ５において、Ｃｏｎｆｉｇｕｒａｔｉｏｎ３の３番目及び４番目のアップリンクサブフレームがダウンリンクサブフレームに置き換えられている。従って、ダイナミックＴＤＤ用コンフィギュレーションとしてＣｏｎｆｉｇｕｒａｔｉｏｎ５が設定されている期間において、３番目及び４番目のサブフレームでのレガシー端末のアップリンク送信は許可されない。
【００３９】
（２−ｂ）第２の手法
第２の手法では、レガシー用コンフィギュレーションとして、ダウンリンク率のより高いコンフィギュレーションが設定される。また、レガシー用コンフィギュレーションのダウンリンクサブフレームの少なくとも１つがＭＢＳＦＮサブフレームに設定される。そして、ダイナミックＴＤＤ用コンフィギュレーションとして、レガシー用コンフィギュレーションのＭＢＳＦＮサブフレームに設定されたダウンリンクサブフレームをアップリンクサブフレームに置き換えることにより導かれるコンフィギュレーションが設定される。一部のＭＢＳＦＮサブフレームは、スペシャルサブフレームに置き換えられてよい。
【００４０】
図９は、リンク方向の相違の影響を解決するための第２の手法について説明するための説明図である。図９の上段には、レガシー用コンフィギュレーションとして設定され得るＣｏｎｆｉｇｕｒａｔｉｏｎ５が示されている。Ｃｏｎｆｉｇｕｒａｔｉｏｎ５の０番目及び３番目〜９番目のサブフレームはダウンリンクサブフレーム、１番目のサブフレームはスペシャルサブフレーム、２番目のサブフレームはアップリンクサブフレームである。但し、一例として、３番目、４番目、６番目〜９番目のダウンリンクサブフレームは、ＭＢＳＦＮサブフレームに設定される。ＣＲＳは、０番目及び５番目のサブフレームにおいて基地局から送信される。ダイナミックＴＤＤ用コンフィギュレーションもまた、Ｃｏｎｆｉｇｕｒａｔｉｏｎ５であってよい。但し、Ｃｏｎｆｉｇｕｒａｔｉｏｎ５のＵＬ−ＤＬ構成比がＵＬ−ＤＬトラフィック比に適合しない場合には、ダイナミックＴＤＤ用コンフィギュレーションは、Ｃｏｎｆｉｇｕｒａｔｉｏｎ５のＭＢＳＦＮサブフレーム（及びスペシャルサブフレーム）の１つ以上をアップリンクサブフレームに置き換えることにより導かれるいずれかのリンク方向コンフィギュレーションに更新される。図９の下段の例では、ダイナミックＴＤＤ用コンフィギュレーションは、Ｃｏｎｆｉｇｕｒａｔｉｏｎ６に設定されている。Ｃｏｎｆｉｇｕｒａｔｉｏｎ６において、Ｃｏｎｆｉｇｕｒａｔｉｏｎ５の３番目、４番目、７番目及び８番目のサブフレーム（ＭＢＳＦＮサブフレーム）は、アップリンクサブフレームに置き換えられている。Ｃｏｎｆｉｇｕｒａｔｉｏｎ５の６番目のサブフレーム（ＭＢＳＦＮサブフレーム）は、スペシャルサブフレームに置き換えられている。
【００４１】
図９の例において、レガシー端末がＣＲＳを受信する０番目及び５番目のサブフレームでは、Ｃｏｎｆｉｇｕｒａｔｉｏｎ６に従って実際に基地局からＣＲＳが送信される。従って、レガシー端末は、これらＣＲＳを受信することにより正常に同期トラッキングを実行することができる。
【００４２】
図１０のマトリクスは、第２の手法におけるレガシー用コンフィギュレーション及びダイナミックＴＤＤ用コンフィギュレーションの選択可能な組合せを示している。マトリクスの横軸はレガシー用コンフィギュレーション、縦軸はダイナミックＴＤＤ用コンフィギュレーションにそれぞれ対応する。図中で“Ｎ”とラベリングされた組合せは、第２の手法において選択されない組合せである。例えば、レガシー用コンフィギュレーションがＣｏｎｆｉｇｕｒａｔｉｏｎ０であれば、ダイナミックＴＤＤ用コンフィギュレーションとしてＣｏｎｆｉｇｕｒａｔｉｏｎ０のみが選択可能である。レガシー用コンフィギュレーションがＣｏｎｆｉｇｕｒａｔｉｏｎ１であれば、ダイナミックＴＤＤ用コンフィギュレーションとしてＣｏｎｆｉｇｕｒａｔｉｏｎ０、１及び６が選択可能である。レガシー用コンフィギュレーションがＣｏｎｆｉｇｕｒａｔｉｏｎ２であれば、ダイナミックＴＤＤ用コンフィギュレーションとしてＣｏｎｆｉｇｕｒａｔｉｏｎ０、１、２及び６が選択可能である。レガシー用コンフィギュレーションがＣｏｎｆｉｇｕｒａｔｉｏｎ３であれば、ダイナミックＴＤＤ用コンフィギュレーションとしてＣｏｎｆｉｇｕｒａｔｉｏｎ０、３及び６が選択可能である。レガシー用コンフィギュレーションがＣｏｎｆｉｇｕｒａｔｉｏｎ４であれば、ダイナミックＴＤＤ用コンフィギュレーションとしてＣｏｎｆｉｇｕｒａｔｉｏｎ０、１、３、４及び６が選択可能である。レガシー用コンフィギュレーションがＣｏｎｆｉｇｕｒａｔｉｏｎ５であれば、ダイナミックＴＤＤ用コンフィギュレーションとして７種類の全てのリンク方向コンフィギュレーションが選択可能である。レガシー用コンフィギュレーションがＣｏｎｆｉｇｕｒａｔｉｏｎ６であれば、ダイナミックＴＤＤ用コンフィギュレーションとしてＣｏｎｆｉｇｕｒａｔｉｏｎ０及び６が選択可能である。
【００４３】
図１１は、第２の手法において設定されるリンク方向コンフィギュレーションの一例について時間軸に沿って説明するための説明図である。
【００４４】
時刻Ｔ２１において、レガシー端末は、ＳＩメッセージＭ２１を受信し、ＳＩメッセージＭ２１において指定されたＣｏｎｆｉｇｕｒａｔｉｏｎ５を自らの無線通信回路に設定する。ここで設定されたレガシー端末のリンク方向コンフィギュレーションは、次のＳＩメッセージＭ２２が受信される時刻Ｔ２４まで維持される。一方、ダイナミックＴＤＤ端末は、時刻Ｔ２１において、ダイナミックコンフィギュレーションメッセージＭ３１を受信し、メッセージＭ３１において指定されたＣｏｎｆｉｇｕｒａｔｉｏｎ２を自らの無線通信回路に設定する。その後、ダイナミックＴＤＤ端末は、時刻Ｔ２２において、ダイナミックコンフィギュレーションメッセージＭ３２を受信し、メッセージＭ３２において指定されたＣｏｎｆｉｇｕｒａｔｉｏｎ４を自らの無線通信回路に設定する。ここで設定されたダイナミックＴＤＤ端末のリンク方向コンフィギュレーションは、次のダイナミックコンフィギュレーションメッセージＭ３３が受信される時刻Ｔ２３まで維持される。時刻Ｔ２３において、ダイナミックＴＤＤ端末は、ダイナミックコンフィギュレーションメッセージＭ３３を受信し、メッセージＭ３３において指定されたＣｏｎｆｉｇｕｒａｔｉｏｎ５を自らの無線通信回路に設定する。ここで設定されたダイナミックＴＤＤ端末のリンク方向コンフィギュレーションは、次のダイナミックコンフィギュレーションメッセージが受信される時刻まで維持される。
【００４５】
続いて、時刻Ｔ２４において、レガシー端末は、ＳＩメッセージＭ２２を受信し、ＳＩメッセージＭ２２において指定されたＣｏｎｆｉｇｕｒａｔｉｏｎ１を自らの無線通信回路に設定する。ここで設定されたレガシー端末のリンク方向コンフィギュレーションは、次のＳＩメッセージが受信される時刻Ｔ２７まで維持される。一方、ダイナミックＴＤＤ端末は、時刻Ｔ２４において、ダイナミックコンフィギュレーションメッセージＭ３６を受信し、メッセージＭ３６において指定されたＣｏｎｆｉｇｕｒａｔｉｏｎ１を自らの無線通信回路に設定する。その後、ダイナミックＴＤＤ端末は、時刻Ｔ２５において、ダイナミックコンフィギュレーションメッセージＭ３７を受信し、メッセージＭ３７において指定されたＣｏｎｆｉｇｕｒａｔｉｏｎ０を自らの無線通信回路に設定する。ここで設定されたダイナミックＴＤＤ端末のリンク方向コンフィギュレーションは、次のダイナミックコンフィギュレーションメッセージが受信される時刻まで維持される。
【００４６】
上述した第１の手法又は第２の手法によれば、ダイナミックコンフィギュレーションメッセージの導入がレガシー端末の同期動作へ有害な影響を与えることを回避することができる。また、ダイナミックコンフィギュレーションメッセージはＳＩメッセージよりも短い周期で送信され得るため、ダイナミックＴＤＤ端末のリンク方向コンフィギュレーションの設定を、ＵＬ−ＤＬトラフィック比の変動に対してより迅速に追随させることができる。
【００４７】
図１２は、ダイナミックコンフィギュレーションメッセージが送信される制御情報領域の一例について説明するための説明図である。図１２を参照すると、各無線フレームの０番目のサブフレーム及び５番目のサブフレームの概略的なフォーマットが示されている。５番目のサブフレームのＰＤＳＣＨの帯域中央には、ＳＩＢ１が設けられている。ダイナミックコンフィギュレーションメッセージは、例えば、０番目又は５番目のサブフレームのＰＤＳＣＨの帯域内に設けられるＥ−ＰＤＣＣＨ（Enhanced-Physical  Downlink  Control  Channel）上で送信されてよい。その代わりに、ダイナミックコンフィギュレーションメッセージは、ＰＤＣＣＨ内に新たに定義される制御情報領域上で送信されてもよい。Ｅ−ＰＤＣＣＨ又はＰＤＣＣＨ内にダイナミックコンフィギュレーションメッセージを送信するための新たな制御情報領域を定義することにより、最短で１０ｍｓｅｃの周期でリンク方向コンフィギュレーションをシグナリングすることが可能となる。
【００４８】
なお、シグナリングの頻度の増加は、シグナリングオーバヘッドの増加をもたらす。即ち、リンク方向コンフィギュレーションの更新の即応性とシグナリングオーバヘッドとは、スループットの観点でトレードオフの関係にある。従って、ダイナミックＴＤＤ用コンフィギュレーションのシグナリング周期は、例えばスループットを最適化するようにシステムごとに適応的に設定されてもよい。また、適応的に設定される当該シグナリング周期をダイナミックＴＤＤ端末へ通知するためのシグナリングが行われてもよい。
【００４９】
（３）レガシー端末が送信するＡＣＫ／ＮＡＣＫへの影響
確認応答（ＡＣＫ）及び否定応答（ＮＡＣＫ）は、データ送信の信頼性を確保するための仕組みであるＨＡＲＱ（ハイブリッド自動再送要求：Hybrid  Automatic  Repeat  Request）のベースとなる基本的な制御シグナリングである。ダウンリンク送信のタイミングとＡＣＫ／ＮＡＣＫのタイミングとのオフセットが、３ＧＰＰ  ＴＳ３６．２１３のテーブル１０．１．３．１−１において、リンク方向コンフィギュレーションごとに定義されている（表１参照）。
【００５０】
【表１】
2014006994.tif 000003
【００５１】
表１は、ダウンリンク送信と、当該ダウンリンク送信に関連付けられるＡＣＫ／ＮＡＣＫとの間のタイミングのオフセットを、サブフレーム数を単位として示している。ＡＣＫ／ＮＡＣＫの送信タイミングについて、図１３も参照しながら説明する。図１３の上段には、Ｃｏｎｆｉｇｕｒａｔｉｏｎ０が設定された連続する２つの無線フレームＦ１１及びＦ１２が示されている。無線フレームＦ１１及びＦ１２において、ダウンリンク送信は、０番目、１番目、５番目及び６番目のサブフレームにおいて発生し得る。表１のＣｏｎｆｉｇｕｒａｔｉｏｎ０の行を参照すると、０番目のサブフレームでのダウンリンク送信に対するＡＣＫ／ＮＡＣＫは、オフセット４を示す４番目のサブフレームで送信され得る。１番目のサブフレームでのダウンリンク送信に対するＡＣＫ／ＮＡＣＫは、オフセット６を示す７番目のサブフレームで送信され得る。５番目のサブフレームでのダウンリンク送信に対するＡＣＫ／ＮＡＣＫは、オフセット４を示す９番目のサブフレームで送信され得る。６番目のサブフレームでのダウンリンク送信に対するＡＣＫ／ＮＡＣＫは、オフセット６を示す（次の無線フレームの）２番目のサブフレームで送信され得る。こうしたタイミングの対応関係が、図１３では点線の矢印で示されている。無線通信に関与する装置は、表１のような仕様化されたテーブルを予め記憶し、ダウンリンク送信に対するＡＣＫ／ＮＡＣＫの送信タイミングを、当該テーブルを参照することにより決定し得る。
【００５２】
しかし、ダイナミックＴＤＤ用コンフィギュレーションとレガシー用コンフィギュレーションとが異なる場合、これら２つのコンフィギュレーションの間でリンク方向の異なるサブフレームが存在する。図１３の例では、下段において、ダイナミックＴＤＤ用コンフィギュレーションとしてＣｏｎｆｉｇｕｒａｔｉｏｎ５が設定されている。レガシー用コンフィギュレーションはＣｏｎｆｉｇｕｒａｔｉｏｎ０であるものとする。この場合、３番目、４番目、７番目、８番目及び９番目のサブフレームでリンク方向が相違する。基地局は、実際にはダイナミックＴＤＤ用コンフィギュレーションに従って動作するため、レガシー端末が仮にダウンリンク送信に対するＡＣＫ／ＮＡＣＫを４番目、７番目又は９番目のサブフレームで送信したとしても、当該ＡＣＫ／ＮＡＣＫは基地局により受信されない。ＡＣＫ／ＮＡＣＫがロスすると、基地局は、対応するダウンリンク送信が正常に行われていたとしてもそのことを認識できず、送信済みのデータを再送し得る。それにより、無線リソースが無駄に消費され、システムのスループットは低下し得る。
【００５３】
そこで、一実施形態において、レガシー端末へのダウンリンク送信は、関連付けられるＡＣＫ／ＮＡＣＫ送信のためのサブフレームにおいてリンク方向の相違が発生しないサブフレームにのみスケジューリングされる。ダウンリンク送信に関連付けられるＡＣＫ／ＮＡＣＫ送信のためのサブフレームは、表１のレガシー用コンフィギュレーションのエントリにより示される。当該サブフレームにおいてリンク方向の相違が発生するか否かは、レガシー用コンフィギュレーションにおける当該サブフレームのリンク方向から判定することができる。当該サブフレームがレガシー用コンフィギュレーションにおいてアップリンクサブフレームに指定されていれば、リンク方向の衝突は発生しない。そうでなければ、リンク方向の衝突が発生する。ここで、図２を参照すると、２番目のサブフレームは、いずれのコンフィギュレーションにおいてもアップリンクサブフレームである。そこで、例えば、レガシー用コンフィギュレーションがＣｏｎｆｉｇｕｒａｔｉｏｎ０である場合、基地局は、レガシー端末へのダウンリンク送信を６番目のサブフレームにスケジューリングする（他のダウンリンクサブフレームにはスケジューリングしない）。それにより、ダイナミックＴＤＤ用コンフィギュレーションに関わらず、レガシー端末からの当該ダウンリンク送信に対するＡＣＫ／ＮＡＣＫを２番目のサブフレームで確実に受信することが可能となる。
【００５４】
（４）レガシー端末へ送信されるＡＣＫ／ＮＡＣＫへの影響
アップリンク送信のタイミングと基地局からのＡＣＫ／ＮＡＣＫのタイミングとのオフセットは、３ＧＰＰ  ＴＳ３６．２１３のテーブル９．１．２−１において、リンク方向コンフィギュレーションごとに定義されている（表２参照）。
【００５５】
【表２】
2014006994.tif 000004
【００５６】
表２は、アップリンク送信と、当該アップリンク送信に関連付けられるＡＣＫ／ＮＡＣＫとの間のタイミングのオフセットを、サブフレーム数を単位として示している。ＡＣＫ／ＮＡＣＫの送信タイミングについて、図１４も参照しながら説明する。図１４の上段には、Ｃｏｎｆｉｇｕｒａｔｉｏｎ０が設定された連続する２つの無線フレームＦ２１及びＦ２２が示されている。無線フレームＦ２１及びＦ２２において、アップリンク送信は、２番目、３番目、４番目、７番目、８番目及び９番目のサブフレームにおいて発生し得る。表２のＣｏｎｆｉｇｕｒａｔｉｏｎ０の行を参照すると、２番目のサブフレームでのアップリンク送信に対するＡＣＫ／ＮＡＣＫは、オフセット４だけ後の６番目のサブフレームで送信され得る。３番目のサブフレームでのアップリンク送信に対するＡＣＫ／ＮＡＣＫは、オフセット７だけ後の（次の無線フレームの）０番目のサブフレームで送信され得る。４番目のサブフレームでのアップリンク送信に対するＡＣＫ／ＮＡＣＫは、オフセット６だけ後の（次の無線フレームの）０番目のサブフレームで送信され得る。７番目のサブフレームでのアップリンク送信に対するＡＣＫ／ＮＡＣＫは、オフセット４だけ後の（次の無線フレームの）１番目のサブフレームで送信され得る。８番目のサブフレームでのアップリンク送信に対するＡＣＫ／ＮＡＣＫは、オフセット７だけ後の（次の無線フレームの）５番目のサブフレームで送信され得る。９番目のサブフレームでのアップリンク送信に対するＡＣＫ／ＮＡＣＫは、オフセット６だけ後の（次の無線フレームの）５番目のサブフレームで送信され得る。こうしたタイミングの対応関係が、図１４では点線の矢印で示されている。無線通信に関与する装置は、表２のような仕様化されたテーブルを予め記憶し、アップリンク送信に対するＡＣＫ／ＮＡＣＫの送信タイミングを、当該テーブルを参照することにより決定し得る。
【００５７】
しかし、ダイナミックＴＤＤ用コンフィギュレーションとレガシー用コンフィギュレーションとが異なる場合、これら２つのコンフィギュレーションの間でリンク方向の異なるサブフレームが存在する。図１４の例では、下段において、ダイナミックＴＤＤ用コンフィギュレーションとしてＣｏｎｆｉｇｕｒａｔｉｏｎ２が設定されている。レガシー用コンフィギュレーションはＣｏｎｆｉｇｕｒａｔｉｏｎ０であるものとする。この場合、３番目、４番目、８番目及び９番目のサブフレームでリンク方向が相違する。基地局がダイナミックＴＤＤ用コンフィギュレーションに従って動作する場合、基地局は、２番目及び７番目のサブフレームでのアップリンク送信に対するＡＣＫ／ＮＡＣＫを、それぞれ８番目のサブフレーム及び（次の無線フレームの）３番目のサブフレームで送信する。しかし、レガシー用コンフィギュレーションであるＣｏｎｆｉｇｕｒａｔｉｏｎ０において、３番目及び８番目のサブフレームはアップリンクサブフレームに指定されているため、レガシー端末は、これらＡＣＫ／ＮＡＣＫを受信しない。ＡＣＫ／ＮＡＣＫがロスすると、レガシー端末は、対応するアップリンク送信が正常に行われていたとしてもそのことを認識できず、送信済みのデータを再送し得る。それにより、無線リソースが無駄に消費され、システムのスループットは低下し得る。
【００５８】
そこで、一実施形態において、レガシー端末からのアップリンク送信に対してＡＣＫ／ＮＡＣＫを送信するためのサブフレームは、表２のレガシー用コンフィギュレーションについてのエントリを参照することにより決定される。かかる基準によれば、図１４の例において、基地局は、２番目及び７番目のサブフレームでのアップリンク送信に対するＡＣＫ／ＮＡＣＫを、それぞれ６番目のサブフレーム及び（次の無線フレームの）１番目のサブフレームで送信する。１番目及び６番目のサブフレームは、レガシー用コンフィギュレーション及びダイナミックＴＤＤ用コンフィギュレーションの双方において、ダウンリンクサブフレームである。そのため、レガシー端末は、これらＡＣＫ／ＮＡＣＫを正常に受信することができる。
【００５９】
（５）レガシー端末へ送信されるＵＬ許可への影響
ＵＬ許可（Uplink  Grant）は、アップリンク送信がスケジューリングされたことを端末装置へ通知するための制御シグナリングである。アップリンク送信とＵＬ許可との間のタイミングのオフセットは、３ＧＰＰ  ＴＳ３６．２１３のテーブル８−２において、リンク方向コンフィギュレーションごとに定義されている（表３参照）。
【００６０】
【表３】
2014006994.tif 000005
【００６１】
表３は、アップリンク送信と、当該アップリンク送信に関連付けられるＵＬ許可との間のタイミングのオフセットを、サブフレーム数を単位として示している。ＵＬ許可の送信タイミングについて、図１５も参照しながら説明する。図１５の上段には、Ｃｏｎｆｉｇｕｒａｔｉｏｎ０が設定された連続する２つの無線フレームＦ３１及びＦ３２が示されている。無線フレームＦ３１及びＦ３２において、アップリンク送信は、２番目、３番目、４番目、７番目、８番目及び９番目のサブフレームにおいて発生し得る。表３のＣｏｎｆｉｇｕｒａｔｉｏｎ０の行を参照すると、２番目のサブフレームでのアップリンク送信についてのＵＬ許可は、オフセット６を示す（前の無線フレームの）６番目のサブフレームで送信され得る。３番目のサブフレームでのアップリンク送信についてのＵＬ許可は、オフセット７を示す（前の無線フレームの）６番目のサブフレームで送信され得る。４番目のサブフレームでのアップリンク送信についてのＵＬ許可は、オフセット４を示す０番目のサブフレームで送信され得る。７番目のサブフレームでのアップリンク送信についてのＵＬ許可は、オフセット６を示す１番目のサブフレームで送信され得る。８番目のサブフレームでのアップリンク送信についてのＵＬ許可は、オフセット７を示す１番目のサブフレームで送信され得る。９番目のサブフレームでのアップリンク送信についてのＵＬ許可は、オフセット４を示す５番目のサブフレームで送信され得る。こうしたタイミングの対応関係が、図１５では点線の矢印で示されている。無線通信に関与する装置は、表３のような仕様化されたテーブルを予め記憶し、アップリンク送信についてのＵＬ許可の送信タイミングを、当該テーブルを参照することにより決定し得る。
【００６２】
しかし、ダイナミックＴＤＤ用コンフィギュレーションとレガシー用コンフィギュレーションとが異なる場合、これら２つのコンフィギュレーションの間でリンク方向の異なるサブフレームが存在する。図１５の例では、下段において、ダイナミックＴＤＤ用コンフィギュレーションとしてＣｏｎｆｉｇｕｒａｔｉｏｎ２が設定されている。レガシー用コンフィギュレーションはＣｏｎｆｉｇｕｒａｔｉｏｎ０であるものとする。この場合、３番目、４番目、８番目及び９番目のサブフレームでリンク方向が相違する。基地局がダイナミックＴＤＤ用コンフィギュレーションに従って動作する場合、基地局は、２番目及び７番目のサブフレームでのアップリンク送信についてのＵＬ許可を、それぞれ（前の無線フレームの）８番目のサブフレーム及び３番目のサブフレームで送信する。しかし、レガシー用コンフィギュレーションであるＣｏｎｆｉｇｕｒａｔｉｏｎ０において、３番目及び８番目のサブフレームはアップリンクサブフレームに指定されているため、レガシー端末は、これらＵＬ許可を受信しない。ＵＬ許可が受信されなければ、レガシー端末はアップリンク送信を実行しないため、アップリンクトラフィックが滞る。
【００６３】
そこで、一実施形態において、レガシー端末からのアップリンク送信に対応するアップリンク許可を送信するためのサブフレームは、表３のレガシー用コンフィギュレーションについてのエントリを参照することにより決定される。例えば、かかる基準によれば、図１５の例において、基地局は、２番目及び７番目のサブフレームでのアップリンク送信についてのＵＬ許可を、それぞれ（前の無線フレームの）６番目のサブフレーム及び１番目のサブフレームで送信する。１番目及び６番目のサブフレームは、レガシー用コンフィギュレーション及びダイナミックＴＤＤ用コンフィギュレーションの双方において、ダウンリンクサブフレームである。そのため、レガシー端末は、これらＵＬ許可を正常に受信することができる。
【００６４】
＜２．通信制御システムの構成＞
［２−１．システムの概要］
図１６は、本開示に係る技術が実装される一実施形態に係る通信制御システム１の構成の一例を示す説明図である。図１６を参照すると、通信制御システム１は、基地局１００を含む。基地局（ｅＮＢ）１００は、セル１０２の内部に位置するレガシー端末１０及びダイナミックＴＤＤ端末３０へ、ＴＤ−ＬＴＥ方式に従って無線通信サービスを提供する。基地局１００は、典型的にはＥＰＣ（Evolved  Packet  Core）として実現されるコアネットワーク１０４と接続される。コアネットワーク１０４は、例えば、ＭＭＥ（Mobility  Management  Entity）、Ｓ−ＧＷ（Serving  Gateway）及びＰ−ＧＷなどの様々な制御ノードを含む。
【００６５】
レガシー端末１０は、レガシー用コンフィギュレーションに従って動作する端末装置である。ダイナミックＴＤＤ端末３０は、ダイナミックＴＤＤ用コンフィギュレーションに従って動作することの可能な端末装置である。ダイナミックＴＤＤ端末３０は、追加的に、レガシー用コンフィギュレーションに従って動作することも可能であってよい。１つ以上のレガシー端末１０のためにレガシー用コンフィギュレーションを設定し、及び１つ以上のダイナミックＴＤＤ端末３０のためにダイナミックＴＤＤ用コンフィギュレーションを設定する制御機能は、基地局１００、又は基地局１００を介してこれら端末装置と通信するいずれかの制御ノードに配置され得る。以下の説明では、一例として、基地局１００が当該制御機能を有するものとする。
【００６６】
［２−２．レガシー端末の構成例］
図１７は、レガシー端末１０の構成の一例を示すブロック図である。図１７を参照すると、レガシー端末１０は、無線通信部１１、信号処理部１２、制御部１３及びメモリ１４を備える。
【００６７】
（１）無線通信部
無線通信部１１は、レガシー端末１０が基地局１００との間で無線信号を送受信するための通信インタフェースである。無線通信部１１は、１つ以上のアンテナ（図示せず）及びＲＦ（Radio  Frequency）回路を有する。無線通信部１１は、基地局１００から送信されるダウンリンク信号を受信し、受信信号の増幅、周波数変換及びＡＤ（Analogue-to-Digital）変換を行う。また、無線通信部１１は、送信信号のＤＡ（Digital-to-Analogue）変換、周波数変換及び増幅を行い、アップリンク信号を基地局１００へ送信する。
【００６８】
無線通信部１１により受信されるダウンリンク信号は、ダウンリンクデータ信号及びダウンリンクシグナリングを含む。ダウンリンクシグナリングは、レガシー用コンフィギュレーションをレガシー端末１０へ通知するＳＩメッセージ、アップリンク送信に対するＡＣＫ／ＮＡＣＫ及びＵＬ許可を含む。また、無線通信部１１により送信されるアップリンク信号は、アップリンクデータ信号及びアップリンクシグナリングを含む。アップリンクシグナリングは、バッファ待機中のアップリンクデータ信号のトラフィック量を示すバッファステータスレポート、及びダウンリンク送信に対するＡＣＫ／ＮＡＣＫを含む。
【００６９】
（２）信号処理部
信号処理部１２は、無線通信部１１から入力される受信信号の等化、復調及び復号、並びに無線通信部１１へ出力される送信信号の符号化及び変調を行うための信号処理回路を有する。信号処理部１２は、例えば、上位レイヤの処理を実現するプロセッサ（図示せず）と接続される。そして、信号処理部１２は、復調及び復号した受信信号に含まれるデータを上位レイヤへ出力する。また、信号処理部１２は、上位レイヤから入力されるデータを含む送信信号を符号化及び変調する。
【００７０】
（３）制御部
制御部１３は、レガシー端末１０による無線通信をＴＤ−ＬＴＥ方式に従って制御する。例えば、制御部１３は、無線通信部１１により受信されるＳＩメッセージにおいて指定されるレガシー用コンフィギュレーションに従って、サブフレーム単位のリンク方向を無線通信部１１及び信号処理部１２に設定する。また、制御部１３は、無線通信部１１により受信されるダウンリンク割当てに従って無線通信部１１にダウンリンク信号を受信させ、受信が成功した場合にはＡＣＫを、受信が失敗した場合にはＮＡＣＫを無線通信部１１に返送させる。また、制御部１３は、無線通信部１１により受信されるアップリンク許可に従って無線通信部１１にアップリンク信号を送信させ、当該アップリンク送信に対するＡＣＫ又はＮＡＣＫを無線通信部１１に受信させる。制御部１３は、これら制御シグナリング（即ち、ダウンリンク送信に対するＡＣＫ／ＮＡＣＫ、アップリンク送信に対するＡＣＫ／ＮＡＣＫ、及びＵＬ許可）の送受信のタイミングを、メモリ１４に記憶されるテーブル（上述した表１、表２及び表３）内のレガシー用コンフィギュレーションについてのエントリを参照することにより決定し得る。また、制御部１３は、ＭＢＳＦＮサブフレームに設定されていないダウンリンクサブフレームにおいて、無線通信部１１にＣＲＳを受信させ、同期トラッキングを実行させる。また、制御部１３は、バッファ待機中のアップリンクデータ信号のトラフィック量を示すバッファステータスレポートを周期的に生成し、生成したバッファステータスレポートを無線通信部１１から基地局１００へ送信する。
【００７１】
（４）メモリ
メモリ１４は、制御部１３がレガシー端末１０による無線通信を制御するために使用するデータ及びプログラムを記憶する記憶媒体である。例えば、メモリ１４は、現在設定されているレガシー用コンフィギュレーションの識別子を記憶する。また、メモリ１４は、ダウンリンク送信のタイミングと対応するＡＣＫ／ＮＡＣＫのタイミングとを関連付ける第１のテーブル（表１）、アップリンク送信のタイミングと対応するＡＣＫ／ＮＡＣＫのタイミングとを関連付ける第２のテーブル（表２）、及びアップリンク送信のタイミングと対応するＵＬ許可のタイミングとを関連付ける第３のテーブル（表３）を予め記憶する。
【００７２】
［２−３．ダイナミックＴＤＤ端末の構成例］
図１８は、ダイナミックＴＤＤ端末３０の構成の一例を示すブロック図である。図１８を参照すると、ダイナミックＴＤＤ端末３０は、無線通信部３１、信号処理部３２、制御部３３及びメモリ３４を備える。
【００７３】
（１）無線通信部
無線通信部３１は、ダイナミックＴＤＤ端末３０が基地局１００との間で無線信号を送受信するための通信インタフェースである。無線通信部３１は、１つ以上のアンテナ（図示せず）及びＲＦ回路を有する。無線通信部３１は、基地局１００から送信されるダウンリンク信号を受信し、受信信号の増幅、周波数変換及びＡＤ変換を行う。また、無線通信部３１は、送信信号のＤＡ変換、周波数変換及び増幅を行い、アップリンク信号を基地局１００へ送信する。
【００７４】
無線通信部３１により受信されるダウンリンク信号は、ダウンリンクデータ信号及びダウンリンクシグナリングを含む。ダウンリンクシグナリングは、ダイナミックＴＤＤ用コンフィギュレーションをダイナミックＴＤＤ端末３０へ通知するダイナミックコンフィギュレーションメッセージ、アップリンク送信に対するＡＣＫ／ＮＡＣＫ及びＵＬ許可を含む。また、無線通信部３１により送信されるアップリンク信号は、アップリンクデータ信号及びアップリンクシグナリングを含む。アップリンクシグナリングは、バッファ待機中のアップリンクデータ信号のトラフィック量を示すバッファステータスレポート、及びダウンリンク送信に対するＡＣＫ／ＮＡＣＫを含む。
【００７５】
（２）信号処理部
信号処理部３２は、無線通信部３１から入力される受信信号の等化、復調及び復号、並びに無線通信部３１へ出力される送信信号の符号化及び変調を行うための信号処理回路を有する。信号処理部３２は、例えば、上位レイヤの処理を実現するプロセッサ（図示せず）と接続される。そして、信号処理部３２は、復調及び復号した受信信号に含まれるデータを上位レイヤへ出力する。また、信号処理部３２は、上位レイヤから入力されるデータを含む送信信号を符号化及び変調する。
【００７６】
（３）制御部
制御部３３は、ダイナミックＴＤＤ端末３０による無線通信をＴＤ−ＬＴＥ方式に従って制御する。例えば、制御部３３は、ＳＩＢとは異なる制御情報領域内で送信されるダイナミックコンフィギュレーションメッセージを、無線通信部３１により受信させる。当該ダイナミックコンフィギュレーションメッセージは、ＳＩメッセージのシグナリング周期よりも短い周期で、基地局１００からシグナリングされる。そして、制御部３３は、ダイナミックコンフィギュレーションメッセージにおいて指定されるダイナミックＴＤＤ用コンフィギュレーションに従って、サブフレーム単位のリンク方向を無線通信部３１及び信号処理部３２に設定する。また、制御部３３は、無線通信部３１により受信されるダウンリンク割当てに従って無線通信部３１にダウンリンク信号を受信させ、受信が成功した場合にはＡＣＫを、受信が失敗した場合にはＮＡＣＫを無線通信部３１に返送させる。また、制御部３３は、無線通信部３１により受信されるアップリンク許可に従って無線通信部３１にアップリンク信号を送信させ、当該アップリンク送信に対するＡＣＫ又はＮＡＣＫを無線通信部３１に受信させる。制御部３３は、これら制御シグナリング（即ち、ダウンリンク送信に対するＡＣＫ／ＮＡＣＫ、アップリンク送信に対するＡＣＫ／ＮＡＣＫ、及びＵＬ許可）の送受信のタイミングを、メモリ３４に記憶されるテーブル（上述した表１、表２及び表３）内のダイナミックＴＤＤ用コンフィギュレーションについてのエントリを参照することにより決定し得る。また、制御部３３は、ダウンリンクサブフレームにおいて、無線通信部３１にＣＲＳを受信させ、同期トラッキングを実行させる。また、制御部３３は、バッファ待機中のアップリンクデータ信号のトラフィック量を示すバッファステータスレポートを周期的に生成し、生成したバッファステータスレポートを無線通信部３１から基地局１００へ送信する。
【００７７】
（４）メモリ
メモリ３４は、制御部３３がダイナミックＴＤＤ端末３０による無線通信を制御するために使用するデータ及びプログラムを記憶する記憶媒体である。例えば、メモリ３４は、現在設定されているダイナミックＴＤＤ用コンフィギュレーションの識別子を記憶する。また、メモリ３４は、ダウンリンク送信のタイミングと対応するＡＣＫ／ＮＡＣＫのタイミングとを関連付ける第１のテーブル（表１）、アップリンク送信のタイミングと対応するＡＣＫ／ＮＡＣＫのタイミングとを関連付ける第２のテーブル（表２）、及びアップリンク送信のタイミングと対応するＵＬ許可のタイミングとを関連付ける第３のテーブル（表３）を予め記憶する。
【００７８】
（５）デュアルモードのサポート
なお、ダイナミックＴＤＤ端末３０は、レガシー端末１０と同様にレガシー用コンフィギュレーションに従ってリンク方向を設定する第１の動作モード、及びより短い周期でダイナミックＴＤＤコンフィギュレーションに従ってリンク方向を設定する第２の動作モードの双方で動作可能であってもよい。例えば、ダイナミックＴＤＤ端末３０は、アイドルモード（RRC_Idle）において低い頻度でＳＩメッセージを受信（即ち、第１の動作モード）し、アクティブモード（RRC_Connected）において高い頻度でダイナミックコンフィギュレーションメッセージを受信（即ち、第２の動作モード）してもよい。それにより、アイドルモードでの消費電力が上昇することを回避することができる。また、ダイナミックＴＤＤ端末３０は、アクティブモードにおいて、基地局１００から指示された期間においてのみダイナミックコンフィギュレーションメッセージを受信してもよい。
【００７９】
［２−４．通信制御装置の構成例］
本実施形態において、基地局１００は、時分割複信（ＴＤＤ）方式に従って１つ以上の端末装置により行われる無線通信を制御する通信制御装置としての役割を有する。図１９は、基地局１００の構成の一例を示すブロック図である。図１９を参照すると、基地局１００は、無線通信部１１０、信号処理部１２０、インタフェース部１３０、設定部１４０、シグナリング制御部１５０、スケジューリング部１６０及び記憶部１７０を備える。
【００８０】
（１）無線通信部
無線通信部１１０は、基地局１００が１つ以上の端末装置との間で無線信号を送受信するための通信インタフェースである。無線通信部１１０は、１つ以上のアンテナ（図示せず）及びＲＦ回路を有する。無線通信部１１０は、端末装置から送信されるアップリンク信号を受信し、受信信号の増幅、周波数変換及びＡＤ変換を行う。また、無線通信部１１０は、送信信号のＤＡ変換、周波数変換及び増幅を行い、ダウンリンク信号を端末装置へ送信する。無線通信部１１０のリンク方向は、設定部１４０により設定されるダイナミックＴＤＤ用コンフィギュレーションに従って、サブフレーム単位で変化する。
【００８１】
無線通信部１１０により受信されるアップリンク信号は、アップリンクデータ信号及びアップリンクシグナリングを含む。アップリンクシグナリングは、各端末装置からのバッファステータスレポート、及びダウンリンク送信に対するＡＣＫ／ＮＡＣＫを含む。また、無線通信部１１０により送信されるダウンリンク信号は、ダウンリンクデータ信号及びダウンリンクシグナリングを含む。ダウンリンクシグナリングは、レガシー用コンフィギュレーションを通知するためのＳＩメッセージ、ダイナミックＴＤＤ用コンフィギュレーションを通知するためのダイナミックコンフィギュレーションメッセージ、アップリンク送信に対するＡＣＫ／ＮＡＣＫ、及びＵＬ許可を含む。
【００８２】
（２）信号処理部
信号処理部１２０は、無線通信部１１０から入力される受信信号の等化、復調及び復号、並びに無線通信部１１０へ出力される送信信号の符号化及び変調を行うための信号処理回路を有する。信号処理部１２０は、復調及び復号した受信信号に含まれるデータを、インタフェース部１３０へ出力する。また、信号処理部１２０は、インタフェース部１３０から入力されるデータを含む送信信号を符号化及び変調する。
【００８３】
（３）インタフェース部
インタフェース部１３０は、基地局１００が他の基地局との間で通信するためのＸ２インタフェース、及び基地局１００がコアネットワーク１０４内の制御ノードとの間で通信するためのＳ１インタフェースなどの通信インタフェース群を含む。インタフェース部１３０の各通信インタフェースは、有線通信インタフェースであってもよく、又は無線通信インタフェースであってもよい。インタフェース部１３０は、例えば、Ｐ−ＧＷからバッファシグナリングを受信する。当該バッファシグナリングは、端末装置ごとのバッファ待機中のダウンリンクデータ信号のトラフィック量を示す。インタフェース部１３０は、受信したバッファシグナリングを設定部１４０へ出力する。
【００８４】
（４）設定部
設定部１４０は、複数のサブフレームを含む無線フレームの各々について、サブフレーム単位のリンク方向を表すリンク方向コンフィギュレーションを設定する。より具体的には、設定部１４０は、１つ以上のレガシー端末１０を含む第１の端末グループのために、レガシー用コンフィギュレーションを設定する。また、設定部１４０は、１つ以上のダイナミックＴＤＤ端末３０を含む第２の端末グループのために、ダイナミックＴＤＤ用コンフィギュレーションを設定する。設定部１４０は、ＵＬ−ＤＬトラフィック比に基づいて、各無線フレームに設定すべきレガシー用コンフィギュレーション及びダイナミックＴＤＤ用コンフィギュレーションを選択してよい。例えば、設定部１４０は、より多くのアップリンクトラフィックがバッファ待機中であれば、アップリンク率のより高いリンク方向コンフィギュレーションを選択し得る。同様に、設定部１４０は、より多くのダウンリンクトラフィックがバッファ待機中であれば、ダウンリンク率の高いリンク方向コンフィギュレーションを選択し得る。
【００８５】
本実施形態において、設定部１４０は、セミスタティックモード及びダイナミックモードという２種類の設定モードをサポートする。セミスタティックモードにおいて、設定部１４０は、レガシー用コンフィギュレーションと同じリンク方向コンフィギュレーションを、ダイナミックＴＤＤ用コンフィギュレーションとして設定する。ダイナミックモードにおいて、設定部１４０は、レガシー用コンフィギュレーションとは異なるリンク方向コンフィギュレーションを、ダイナミックＴＤＤ用コンフィギュレーションとして設定し得る（互いに同じリンク方向コンフィギュレーションの設定も可能である）。セミスタティックモードとダイナミックモードとの間の遷移は、レガシー端末１０からのバッファステータスレポート又はＰ−ＧＷからのバッファシグナリングによりトリガされ得る。そのようなモード遷移の一例について、後に詳細に説明する。
【００８６】
ダイナミックモードにおいて、設定部１４０は、典型的には、第１の端末グループのために設定したレガシー用コンフィギュレーションに基づいて限定されるコンフィギュレーションのセットから、無線通信部１１０及び信号処理部１２０に設定すべきダイナミックＴＤＤ用コンフィギュレーションを選択する。
【００８７】
例えば、第１の手法において、設定部１４０は、まず、レガシー用コンフィギュレーションとして、アップリンク率のより高いリンク方向コンフィギュレーションを設定する。そして、設定部１４０は、ダイナミックＴＤＤ用コンフィギュレーションとして、レガシー用コンフィギュレーションのアップリンクサブフレームをダウンリンクサブフレームに置き換えることにより導かれるリンク方向コンフィギュレーションを設定する。
【００８８】
また、例えば、第２の手法において、設定部１４０は、まず、レガシー用コンフィギュレーションとして、ダウンリンク率のより高いリンク方向コンフィギュレーションを設定する。また、設定部１４０は、設定したレガシー用コンフィギュレーションのダウンリンクサブフレームの少なくとも１つをＭＢＳＦＮサブフレームに設定する。そして、設定部１４０は、ダイナミックＴＤＤ用コンフィギュレーションとして、レガシー用コンフィギュレーションのＭＢＳＦＮサブフレームをアップリンクサブフレームに置き換えることにより導かれるリンク方向コンフィギュレーションを設定する。
【００８９】
（５）シグナリング制御部
シグナリング制御部１５０は、設定部１４０により設定されるリンク方向コンフィギュレーションを、各端末装置へシグナリングする。より具体的には、シグナリング制御部１５０は、シグナリング周期Ｃ１で、ＳＩメッセージをブロードキャストすることにより、レガシー用コンフィギュレーションをレガシー端末１０へシグナリングする。また、シグナリング制御部１５０は、シグナリング周期Ｃ１よりも短いシグナリング周期Ｃ２で、ダイナミックコンフィギュレーションメッセージを送信することにより、ダイナミックＴＤＤ用コンフィギュレーションをダイナミックＴＤＤ端末３０へシグナリングする。リンク方向コンフィギュレーションが更新されないタイミングでは、ＳＩメッセージ又はダイナミックコンフィギュレーションメッセージの送信は、スキップされてよい。
【００９０】
また、シグナリング制御部１５０は、無線通信部１１０からのＣＲＳ（Cell-specific  Reference  Symbol）の送信も制御する。より具体的には、シグナリング制御部１５０は、ダイナミックＴＤＤ用コンフィギュレーションに従って設定されるダウンリンクサブフレームのＰＤＣＣＨ及びＰＤＳＣＨ上で、無線通信部１１０からＣＲＳを送信させる。
【００９１】
また、シグナリング制御部１５０は、ＵＬ−ＤＬトラフィック比が所定の条件を満たす場合に、上述した第１の動作モード及び第２の動作モードの双方で動作可能なダイナミックＴＤＤ端末３０（デュアルモード端末）に、第２の動作モード（ダイナミックコンフィギュレーションメッセージを受信するモード）への切替えを指示してもよい。ここでの所定の条件とは、例えば、ＵＬ−ＤＬトラフィック比の変動の大きさ又は速さが閾値を上回ることなどであってよい。
【００９２】
（６）スケジューリング部
スケジューリング部１６０は、基地局１００から各端末装置へのダウンリンク信号の送信及び各端末装置から基地局１００へのアップリンク信号の送信をスケジューリングする。スケジューリング部１６０は、スケジューリングの結果を示すスケジューリング情報を生成する。シグナリング制御部１５０は、スケジューリング部１６０により生成されるスケジューリング情報（ダウンリンク割当て及びアップリンク許可）を、無線通信部１１０を介して各端末装置へ送信する。
【００９３】
第１の手法が採用される場合、スケジューリング部１６０は、ダイナミックＴＤＤ用コンフィギュレーションにおいてアップリンクサブフレームからダウンリンクサブフレームに置き換えられているサブフレームについて、レガシー端末１０のアップリンク送信を許可しない。それにより、レガシー端末１０からのアップリンク信号が有害な干渉を生じさせることを予防することができる。
【００９４】
また、スケジューリング部１６０は、レガシー端末へのダウンリンク送信を、当該ダウンリンク送信に関連付けられるＡＣＫ／ＮＡＣＫ送信のためのサブフレームにおいてリンク方向の相違が発生しないサブフレームにのみスケジューリングし得る。ダウンリンク送信に関連付けられるＡＣＫ／ＮＡＣＫ送信のためのサブフレームは、記憶部１７０により記憶される第１のテーブル（表１）内のレガシー用コンフィギュレーションのエントリにより示される。上述したように、当該サブフレームにおいてリンク方向の相違が発生するか否かは、レガシー用コンフィギュレーションにおける当該サブフレームのリンク方向から判定することができる。また、スケジューリング部１６０は、レガシー端末のアップリンク送信に対してＡＣＫ／ＮＡＣＫを送信するためのサブフレームを、記憶部１７０により記憶される第２のテーブル（表２）内のレガシー用コンフィギュレーションについてのエントリを参照することにより決定し得る。また、スケジューリング部１６０は、レガシー端末のアップリンク送信についてのＵＬ許可を送信するためのサブフレームを、記憶部１７０により記憶される第３のテーブル（表３）内のレガシー用コンフィギュレーションについてのエントリを参照することにより決定し得る。
【００９５】
（７）記憶部
記憶部１７０は、基地局１００がセル１０２における無線通信を制御するために使用するデータ及びプログラムを記憶する記憶媒体である。例えば、記憶部１７０は、基地局１００により選択可能なコンフィギュレーション候補のセットを予め記憶する。また、記憶部１７０は、設定部１４０により設定されるレガシー用コンフィギュレーション及びダイナミックＴＤＤ用コンフィギュレーションの識別子を記憶する。また、記憶部１７０は、ダウンリンク送信のタイミングと対応するＡＣＫ／ＮＡＣＫのタイミングとを関連付ける第１のテーブル（表１）、アップリンク送信のタイミングと対応するＡＣＫ／ＮＡＣＫのタイミングとを関連付ける第２のテーブル（表２）、及びアップリンク送信のタイミングと対応するＵＬ許可のタイミングとを関連付ける第３のテーブル（表３）を予め記憶する。
【００９６】
［２−５．設定モードの遷移］
（１）第１の手法
図２０は、第１の手法における設定モード間の遷移の一例を示す状態遷移図である。図２０を参照すると、セミスタティックモードに属する第１の状態ＳＴ１及び第２の状態ＳＴ２、並びにダイナミックモードに属する第３の状態ＳＴ３が示されている。
【００９７】
状態ＳＴ１は、セミスタティックモードにおける基本的な状態である。状態ＳＴ１において、短い周期でのダイナミックＴＤＤ用コンフィギュレーションの更新は行われない。レガシー用コンフィギュレーション及びダイナミックＴＤＤ用コンフィギュレーションは共に、ダウンリンク率のより高いリンク方向コンフィギュレーション（例えば、Ｃｏｎｆｉｇｕｒａｔｉｏｎ５）に設定される。
【００９８】
状態ＳＴ２は、セミスタティックモードとダイナミックモードとの間の遷移の際に一時的に出現する状態である。状態ＳＴ２において、レガシー用コンフィギュレーション及びダイナミックＴＤＤ用コンフィギュレーションは共に、アップリンク率のより高いリンク方向コンフィギュレーション（例えば、Ｃｏｎｆｉｇｕｒａｔｉｏｎ０）に設定される。
【００９９】
状態ＳＴ３は、ダイナミックモードにおける基本的な状態である。状態ＳＴ３において、短い周期でのダイナミックＴＤＤ用コンフィギュレーションの更新が行われる。レガシー用コンフィギュレーションは、状態ＳＴ２と同様、アップリンク率のより高いリンク方向コンフィギュレーションに設定される。ダイナミックＴＤＤ用コンフィギュレーションは、レガシー用コンフィギュレーションとは異なってよい。状態ＳＴ３において、設定部１４０は、ダイナミックＴＤＤ用コンフィギュレーションのＵＬ−ＤＬ構成比がＵＬ−ＤＬトラフィック比に追随するように、ダイナミックＴＤＤ用コンフィギュレーションを適応的に変化させる。
【０１００】
設定部１４０は、例えば、ダイナミックモードでの動作中（即ち、状態ＳＴ３）にＰ−ＧＷにおいてレガシー端末１０のためにバッファリングされているダウンリンクトラフィック量が第１の閾値を上回ると、セミスタティックモードへ遷移する。この場合、設定モードの状態は、状態ＳＴ３から状態ＳＴ２を経て状態ＳＴ１へ遷移する。レガシー端末１０のためのダウンリンクトラフィックは、状態ＳＴ１においてダウンリンク率のより高いリンク方向コンフィギュレーションが設定されることにより、バッファから解放される。そして、設定部１４０は、セミスタティックモードでの動作中（即ち、状態ＳＴ１）にＰ−ＧＷにおいてレガシー端末１０のためにバッファリングされているダウンリンクトラフィック量が第２の閾値を下回ると、ダイナミックモードへ遷移する。この場合、設定モードの状態は、状態ＳＴ１から状態ＳＴ２を経て状態ＳＴ３へ遷移する。このように設定モードがダイナミックモードへ復帰することにより、ダイナミックＴＤＤ端末３０のリンク方向コンフィギュレーションをＵＬ−ＤＬトラフィック比の変動に対してより迅速に追随させることが再び可能となる。
【０１０１】
（２）第２の手法
図２１は、第２の手法における設定モード間の遷移の一例を示す状態遷移図である。図２１を参照すると、セミスタティックモードに属する第１の状態ＳＴ１及び第２の状態ＳＴ２、並びにダイナミックモードに属する第３の状態ＳＴ３が示されている。
【０１０２】
状態ＳＴ１は、セミスタティックモードにおける基本的な状態である。状態ＳＴ１において、短い周期でのダイナミックＴＤＤ用コンフィギュレーションの更新は行われない。設定部１４０は、レガシー用コンフィギュレーションを、ＵＬ−ＤＬトラフィック比に追随するように適応的に変化させる。ダイナミックＴＤＤ用コンフィギュレーションは、レガシー用コンフィギュレーションに等しい。
【０１０３】
状態ＳＴ２は、セミスタティックモードとダイナミックモードとの間の遷移の際に一時的に出現する状態である。状態ＳＴ２において、レガシー用コンフィギュレーション及びダイナミックＴＤＤ用コンフィギュレーションは共に、ダウンリンク率のより高いリンク方向コンフィギュレーション（例えば、Ｃｏｎｆｉｇｕｒａｔｉｏｎ５）に設定される。
【０１０４】
状態ＳＴ３は、ダイナミックモードにおける基本的な状態である。状態ＳＴ３において、短い周期でのダイナミックＴＤＤ用コンフィギュレーションの更新が行われる。レガシー用コンフィギュレーションは、状態ＳＴ２と同様、ダウンリンク率のより高いリンク方向コンフィギュレーションに設定される。少なくとも１つのダウンリンクサブフレームは、ＭＢＳＦＮサブフレームに設定される。ダイナミックＴＤＤ用コンフィギュレーションは、レガシー用コンフィギュレーションとは異なってよい。状態ＳＴ３において、設定部１４０は、ダイナミックＴＤＤ用コンフィギュレーションのＵＬ−ＤＬ構成比がＵＬ−ＤＬトラフィック比に追随するように、ダイナミックＴＤＤ用コンフィギュレーションを適応的に変化させる。
【０１０５】
設定部１４０は、例えば、ダイナミックモードでの動作中（即ち、状態ＳＴ３）に、レガシー端末１０のためにバッファ待機中のダウンリンクトラフィック量又はアップリンクトラフィック量が第１の閾値を上回ると、セミスタティックモードへ遷移する。この場合、設定モードの状態は、状態ＳＴ３から状態ＳＴ２を経て状態ＳＴ１へ遷移する。状態ＳＴ１において、レガシー端末１０のためにバッファ待機中のトラフィックは、バッファから解放される。そして、設定部１４０は、セミスタティックモードでの動作中（即ち、状態ＳＴ１）に、レガシー端末１０のためにバッファ待機中のトラフィック量が第２の閾値を下回ると、ダイナミックモードへ遷移する。この場合、設定モードの状態は、状態ＳＴ１から状態ＳＴ２を経て状態ＳＴ３へ遷移する。このように設定モードがダイナミックモードへ復帰することにより、ダイナミックＴＤＤ端末３０のリンク方向コンフィギュレーションをＵＬ−ＤＬトラフィック比の変動に対してより迅速に追随させることが再び可能となる。
【０１０６】
＜３．処理の流れの例＞
［３−１．端末側の処理］
図２２は、ダイナミックＴＤＤ端末３０により実行される通信処理の流れの一例を示すフローチャートである。なお、ここでは、ダイナミックＴＤＤ端末３０は、上述したデュアルモード端末であるものとする。
【０１０７】
図２２の通信処理は、まず、ダイナミックＴＤＤ端末３０が第１の動作モード及び第２の動作モードのいずれで動作中であるかに応じて分岐する（ステップＳ１０）。ダイナミックＴＤＤ端末３０が第１の動作モードで動作中であれば、処理はステップＳ１５へ進む。一方、ダイナミックＴＤＤ端末３０が第２の動作モードで動作中であれば、処理はステップＳ２５へ進む。
【０１０８】
第１の動作モードにおいて、制御部３３は、第１のシグナリング周期で無線通信部３１にＳＩメッセージを受信させる（ステップＳ１５）。そして、無線通信部３１によりＳＩメッセージが受信されると、制御部３３は、ＳＩメッセージにより指定されたリンク方向コンフィギュレーション（即ち、レガシー用コンフィギュレーション）を、無線通信部３１及び信号処理部３２に設定する（ステップＳ２０）。
【０１０９】
一方、第２の動作モードにおいて、制御部３３は、より短い第２のシグナリング周期で無線通信部３１にダイナミックコンフィギュレーションメッセージを受信させる（ステップＳ２５）。そして、無線通信部３１によりダイナミックコンフィギュレーションメッセージが受信されると、制御部３３は、ダイナミックコンフィギュレーションメッセージにより指定されたリンク方向コンフィギュレーション（即ち、ダイナミックＴＤＤ用コンフィギュレーション）を、無線通信部３１及び信号処理部３２に設定する（ステップＳ３０）。
【０１１０】
また、制御部３３は、無線通信部３１により受信されるスケジューリング情報に従って、ダウンリンクデータ信号を無線通信部３１に受信させ、又はアップリンクデータ信号を無線通信部３１から送信させる（ステップＳ３５）。また、無線通信部３１は、バッファ待機中のアップリンクトラフィック量を示すバッファステータスレポートを基地局１００へ送信する（ステップｓ４０）。
【０１１１】
次に、制御部３３は、基地局１００から動作モードの切替えが指示されたか否かを判定する（ステップＳ４５）。ここで、動作モードの切替えが指示された場合には、制御部３３は、現在の動作モードを他の動作モードへ切り替える（ステップＳ５０）。そして、図２２の通信処理は、ステップＳ１０へ戻る。
【０１１２】
［３−２．ネットワーク側の処理］
（１）第１の手法
図２３Ａ及び図２３Ｂは、第１の手法に従って基地局１００により実行される通信制御処理の流れの一例を示すフローチャートである。
【０１１３】
図２３Ａを参照すると、通信制御処理は、まず、基地局１００がセミスタティックモード及びダイナミックモードのいずれで動作中であるかに応じて分岐する（ステップＳ１１０）。基地局１００がセミスタティックモードで動作中であれば、処理はステップＳ１１５へ進む。一方、基地局１００がダイナミックモードで動作中であれば、処理は図２３ＢのステップＳ１５５へ進む。
【０１１４】
ステップＳ１１５において、設定部１４０は、ダイナミックモードへの遷移条件が満たされるか否かを判定する（ステップＳ１１５）。ここで、ダイナミックモードへの遷移条件が満たされない場合には、セミスタティックモードが維持され、処理はステップＳ１２０へ進む。一方、ダイナミックモードへの遷移条件が満たされる場合には、処理はステップＳ１３０へ進む。
【０１１５】
ステップＳ１２０では、設定部１４０は、ＵＬ−ＤＬトラフィック比に応じて、レガシー用コンフィギュレーション及びダイナミックＴＤＤ用コンフィギュレーションを設定する（ステップＳ１２０）。通常は、ダウンリンク率の高い共通のリンク方向コンフィギュレーションが選択され得る。次に、シグナリング制御部１５０は、設定したリンク方向コンフィギュレーションを、レガシー端末１０及びダイナミックＴＤＤ端末３０へシグナリングする（ステップＳ１２５）。ステップＳ１２０及びステップＳ１２５の処理は、６４０ｍｓｅｃ又は３２０ｍｓｅｃに相当し得るシグナリング周期Ｃ１で行われる。
【０１１６】
ステップＳ１３０では、設定部１４０は、レガシー用コンフィギュレーション及びダイナミックＴＤＤ用コンフィギュレーションを、アップリンク率の高いリンク方向コンフィギュレーションに設定する（ステップＳ１３０）。次に、シグナリング制御部１５０は、設定したリンク方向コンフィギュレーションを、レガシー端末１０及びダイナミックＴＤＤ端末３０へシグナリングする（ステップＳ１３５）。そして、設定モードはダイナミックモードへ遷移し、処理は図２３ＢのステップＳ１６０へ進む（ステップＳ１４０）。
【０１１７】
図２３Ｂを参照すると、ステップＳ１５５において、設定部１４０は、セミスタティックモードへの遷移条件が満たされるか否かを判定する（ステップＳ１５５）。ここで、セミスタティックモードへの遷移条件が満たされない場合には、ダイナミックモードが維持され、処理はステップＳ１６０へ進む。一方、セミスタティックモードへの遷移条件が満たされる場合には、処理はステップＳ１７０へ進む。
【０１１８】
ステップＳ１６０では、設定部１４０は、ＵＬ−ＤＬトラフィック比に応じて、ダイナミックＴＤＤ用コンフィギュレーションを設定する（ステップＳ１６０）。レガシー用コンフィギュレーションは、更新されなくてよい。次に、シグナリング制御部１５０は、設定したダイナミックＴＤＤ用コンフィギュレーションを、ダイナミックＴＤＤ端末３０へシグナリングする（ステップＳ１６５）。ステップＳ１６０及びステップＳ１６５の処理は、１０ｍｓｅｃの整数倍に相当し得るシグナリング周期Ｃ２で行われる。
【０１１９】
ステップＳ１７０では、設定部１４０は、ダイナミックＴＤＤ用コンフィギュレーションを、レガシー用コンフィギュレーションと同じリンク方向コンフィギュレーションに設定する（ステップＳ１７０）。次に、シグナリング制御部１５０は、設定したダイナミックＴＤＤ用コンフィギュレーションを、ダイナミックＴＤＤ端末３０へシグナリングする（ステップＳ１７５）。そして、設定モードはセミスタティックモードへ遷移し、処理は図２３ＡのステップＳ１２０へ進む（ステップＳ１８０）。
【０１２０】
（２）第２の手法
図２４Ａ及び図２４Ｂは、第２の手法に従って基地局１００により実行される通信制御処理の流れの一例を示すフローチャートである。
【０１２１】
図２４Ａを参照すると、通信制御処理は、まず、基地局１００がセミスタティックモード及びダイナミックモードのいずれで動作中であるかに応じて分岐する（ステップＳ２１０）。基地局１００がセミスタティックモードで動作中であれば、処理はステップＳ２１５へ進む。一方、基地局１００がダイナミックモードで動作中であれば、処理は図２４ＢのステップＳ２５５へ進む。
【０１２２】
ステップＳ２１５において、設定部１４０は、ダイナミックモードへの遷移条件が満たされるか否かを判定する（ステップＳ２１５）。ここで、ダイナミックモードへの遷移条件が満たされない場合には、セミスタティックモードが維持され、処理はステップＳ２２０へ進む。一方、ダイナミックモードへの遷移条件が満たされる場合には、処理はステップＳ２３０へ進む。
【０１２３】
ステップＳ２２０では、設定部１４０は、ＵＬ−ＤＬトラフィック比に応じて、レガシー用コンフィギュレーション及びダイナミックＴＤＤ用コンフィギュレーションを設定する（ステップＳ２２０）。次に、シグナリング制御部１５０は、設定したリンク方向コンフィギュレーションを、レガシー端末１０及びダイナミックＴＤＤ端末３０へシグナリングする（ステップＳ２２５）。ステップＳ２２０及びステップＳ２２５の処理は、６４０ｍｓｅｃ又は３２０ｍｓｅｃに相当し得るシグナリング周期Ｃ１で行われる。
【０１２４】
ステップＳ２３０では、設定部１４０は、レガシー用コンフィギュレーション及びダイナミックＴＤＤ用コンフィギュレーションを、ダウンリンク率の高いリンク方向コンフィギュレーションに設定する（ステップＳ２３０）。次に、設定部１４０は、少なくとも１つのダウンリンクサブフレームをＭＢＳＦＮサブフレームに設定する（ステップＳ２３５）。次に、シグナリング制御部１５０は、設定したリンク方向コンフィギュレーションを、レガシー端末１０及びダイナミックＴＤＤ端末３０へシグナリングする（ステップＳ２４０）。そして、設定モードはダイナミックモードへ遷移し、処理は図２４ＢのステップＳ２６０へ進む（ステップＳ２４５）。
【０１２５】
図２４Ｂを参照すると、ステップＳ２５５において、設定部１４０は、セミスタティックモードへの遷移条件が満たされるか否かを判定する（ステップＳ２５５）。ここで、セミスタティックモードへの遷移条件が満たされない場合には、ダイナミックモードが維持され、処理はステップＳ２６０へ進む。一方、セミスタティックモードへの遷移条件が満たされる場合には、処理はステップＳ２７０へ進む。
【０１２６】
ステップＳ２６０では、設定部１４０は、ＵＬ−ＤＬトラフィック比に応じて、ダイナミックＴＤＤ用コンフィギュレーションを設定する（ステップＳ２６０）。レガシー用コンフィギュレーションは、更新されなくてよい。次に、シグナリング制御部１５０は、設定したダイナミックＴＤＤ用コンフィギュレーションを、ダイナミックＴＤＤ端末３０へシグナリングする（ステップＳ２６５）。ステップＳ２６０及びステップＳ２６５の処理は、１０ｍｓｅｃの整数倍に相当し得るシグナリング周期Ｃ２で行われる。
【０１２７】
ステップＳ２７０では、設定部１４０は、ダイナミックＴＤＤ用コンフィギュレーションを、レガシー用コンフィギュレーションと同じリンク方向コンフィギュレーションに設定する（ステップＳ２７０）。次に、設定部１４０は、ＭＢＳＦＮサブフレームの設定を解除する（ステップＳ２７５）。次に、シグナリング制御部１５０は、設定したダイナミックＴＤＤ用コンフィギュレーションを、ダイナミックＴＤＤ端末３０へシグナリングする（ステップＳ２８０）。そして、設定モードはセミスタティックモードへ遷移し、処理は図２４ＡのステップＳ２２０へ進む（ステップＳ２８５）。
【０１２８】
＜４．まとめ＞
ここまで、図１〜図２４Ｂを用いて、本開示に係る技術の実施形態について詳細に説明した。上述した実施形態によれば、レガシー端末のために第１のリンク方向コンフィギュレーション（レガシー用コンフィギュレーション）が設定され、ダイナミックＴＤＤ端末のために第２のリンク方向コンフィギュレーション（ダイナミックＴＤＤ用コンフィギュレーション）が設定される。第１のリンク方向コンフィギュレーションは、ＳＩＢ内でレガシー端末へシグナリングされる。第２のリンク方向コンフィギュレーションは、第１のリンク方向コンフィギュレーションのシグナリング周期よりも短い周期で、ダイナミックＴＤＤ端末へシグナリングされる。従って、ダイナミックＴＤＤ端末のリンク方向コンフィギュレーションを、既存の仕組みよりも迅速に、ＵＬ−ＤＬトラフィック比の変動に追随させることが可能となる。それにより、ＵＬ−ＤＬトラフィック比の変動が激しい無線通信環境においても、バッファ待機中のトラフィック量の増加に起因するリソース効率の低下及びスループットの低下を回避し又は緩和することができる。
【０１２９】
また、上述した実施形態によれば、設定されているレガシー用コンフィギュレーションに基づいて限定されるコンフィギュレーションのセットから、ダイナミックＴＤＤ用コンフィギュレーションは選択され得る。それにより、リンク方向コンフィギュレーションの相違に起因してレガシー端末においてＣＲＳを用いた同期トラッキングの精度が低下することを回避することができる。
【０１３０】
また、上述した実施形態によれば、レガシー端末のためにバッファリングされているトラフィック量がダイナミックモードにおいて所定の閾値を上回った場合に、レガシー用コンフィギュレーションとは異なるダイナミックＴＤＤ用コンフィギュレーションの設定が一時的に停止される。それにより、バッファ待機中のレガシー端末のためのトラフィックを解消することができる。トラフィックが解消されると、リンク方向コンフィギュレーションの設定モードは、ダイナミックモードに復帰する。それにより、レガシー端末の適切なバッファ制御を保証しつつ、ＵＬ−ＤＬトラフィック比の変動に対するダイナミックＴＤＤ端末のリンク方向コンフィギュレーションの迅速な追随を促進することができる。
【０１３１】
また、上述した実施形態によれば、レガシー端末から送信され若しくはレガシー端末へ送信されるＡＣＫ／ＮＡＣＫのタイミング、又はレガシー端末へ送信されるＵＬ許可のタイミングが、２つのコンフィギュレーションの間のリンク方向の相違の影響を受けないように制御され得る。従って、リンク方向の相違に起因してＡＣＫ／ＮＡＣＫ又はＵＬ許可がロスしてしまうことが回避されるため、通信リソースを効率的に使用することができる。
【０１３２】
なお、本明細書において説明したいくつかの特徴（例えば、レガシー用コンフィギュレーションに基づくダイナミックＴＤＤ用コンフィギュレーションの候補の限定、ダイナミックモードとセミスタティックモードとの間の遷移、ＵＬ−ＤＬトラフィック比に基づくデュアルモード端末の動作モードの切替えなど）は、ＳＩＢ（ＳＩＢ１又は他のタイプのＳＩＢ）を用いたダイナミックＴＤＤ用コンフィギュレーションのシグナリングと組み合わされてもよい。
【０１３３】
また、マクロセルと比較すると、セルごとの端末数のより少ないスモールセル（ナノセル、ピコセル、フェムトセルを含む）では、ＵＬ−ＤＬトラフィック比の変動は一層顕著である。従って、本開示に係る技術は、マクロセルにおける無線通信の制御において有益であることに加えて、スモールセルにおける無線通信の制御において一層効果的である。
【０１３４】
本明細書において説明した各装置による一連の制御処理は、ソフトウェア、ハードウェア、及びソフトウェアとハードウェアとの組合せのいずれを用いて実現されてもよい。ソフトウェアを構成するプログラムは、例えば、各装置の内部又は外部に設けられる記憶媒体（非一時的な媒体：non-transitory  media）に予め格納される。そして、各プログラムは、例えば、実行時にＲＡＭ（Random  Access  Memory）に読み込まれ、ＣＰＵ（Central  Processing  Unit）などのプロセッサにより実行される。
【０１３５】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３６】
なお、以下のような構成も本開示の技術的範囲に属する。
（１）
時分割複信（ＴＤＤ）方式に従って１つ以上の端末装置により行われる無線通信を制御する通信制御装置であって、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
を備え、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
通信制御装置。
（２）
前記制御部は、ＳＩＢ（System  Information  Block）内で前記第１のリンク方向コンフィギュレーションをシグナリングし、前記ＳＩＢよりも短い更新周期を有する制御情報領域内で前記第２のリンク方向コンフィギュレーションをシグナリングする、前記（１）に記載の画像処理装置。
（３）
前記設定部は、設定されている前記第１のリンク方向コンフィギュレーションに基づいて限定されるコンフィギュレーションのセットから、設定すべき前記第２のリンク方向コンフィギュレーションを選択する、前記（２）に記載の通信制御装置。
（４）
前記設定部は、
前記第１のリンク方向コンフィギュレーションとして、アップリンク率のより高いコンフィギュレーションを設定し、
前記第２のリンク方向コンフィギュレーションとして、前記第１のリンク方向コンフィギュレーションのアップリンクサブフレームをダウンリンクサブフレームに置き換えることにより導かれるコンフィギュレーションを設定する、
前記（３）に記載の通信制御装置。
（５）
前記通信制御装置は、
前記第２のリンク方向コンフィギュレーションにおいて前記ダウンリンクサブフレームに置き換えられている前記アップリンクサブフレームについて、前記第１の端末グループに属する端末装置のアップリンク送信を許可しないスケジューリング部、
をさらに備える、前記（４）に記載の通信制御装置。
（６）
前記スケジューリング部は、前記第１の端末グループに属する端末装置へのダウンリンク送信を、当該ダウンリンク送信に関連付けられるＡＣＫ／ＮＡＣＫ送信のためのサブフレームが前記第２のリンク方向コンフィギュレーションにおいて前記アップリンクサブフレームとして指定されているサブフレームにのみスケジューリングする、前記（５）に記載の通信制御装置。
（７）
前記通信制御装置は、コンフィギュレーション候補ごとにアップリンク送信のタイミングと対応するアップリンク許可の送信タイミングとを関連付けるテーブルを記憶する記憶部、をさらに備え、
前記スケジューリング部は、前記第１の端末グループに属する端末装置のアップリンク送信に対応する前記アップリンク許可を送信するためのサブフレームを、前記テーブル内の前記第１のリンク方向コンフィギュレーションについてのエントリを参照することにより決定する、
前記（５）又は前記（６）に記載の通信制御装置。
（８）
前記通信制御装置は、コンフィギュレーション候補ごとにアップリンク送信のタイミングと対応するＡＣＫ／ＮＡＣＫの送信タイミングとを関連付けるテーブルを記憶する記憶部、をさらに備え、
前記スケジューリング部は、前記第１の端末グループに属する端末装置のアップリンク送信に対して前記ＡＣＫ／ＮＡＣＫを送信するためのサブフレームを、前記テーブル内の前記第１のリンク方向コンフィギュレーションについてのエントリを参照することにより決定する、
前記（５）又は前記（６）に記載の通信制御装置。
（９）
前記設定部は、
前記第１のリンク方向コンフィギュレーションとしてダウンリンク率のより高いコンフィギュレーションを設定すると共に、当該第１のリンク方向コンフィギュレーションのダウンリンクサブフレームの少なくとも１つをＭＢＳＦＮ（MBMS  Single  Frequency  Network）サブフレームに設定し、
前記第２のリンク方向コンフィギュレーションとして、前記第１のリンク方向コンフィギュレーションの前記ＭＢＳＦＮサブフレームをアップリンクサブフレームに置き換えることにより導かれるコンフィギュレーションを設定する、
前記（３）に記載の通信制御装置。
（１０）
前記設定部は、
前記第１のリンク方向コンフィギュレーションとは異なる前記第２のリンク方向コンフィギュレーションが設定可能であるダイナミックモード、及び前記第１のリンク方向コンフィギュレーションと同じ前記第２のリンク方向コンフィギュレーションが設定されるセミスタティックモードの双方で動作可能であり、
前記ダイナミックモードでの動作中に前記第１の端末グループのためにバッファリングされているトラフィック量が第１の閾値を上回ると、前記セミスタティックモードへ遷移する、
前記（３）〜（７）のいずれか１項に記載の通信制御装置。
（１１）
前記設定部は、前記セミスタティックモードでの動作中に前記第１の端末グループのためにバッファリングされているトラフィック量が第２の閾値を下回ると、前記ダイナミックモードへ遷移する、前記（１０）に記載の通信制御装置。
（１２）
前記設定部は、アップリンクトラフィックとダウンリンクトラフィックとの間のトラフィック量の比に基づいて、各フレームに設定すべき前記第１のリンク方向コンフィギュレーション及び前記第２のリンク方向コンフィギュレーションを選択する、前記（１）〜（１１）のいずれか１項に記載の通信制御装置。
（１３）
前記第２の端末グループに属する端末装置は、前記第１の周期でリンク方向コンフィギュレーションが更新される第１の動作モード及び前記第２の周期でリンク方向コンフィギュレーションが更新される第２の動作モードの双方で動作可能であり、
前記制御部は、前記トラフィック量の比が所定の条件を満たす場合に、前記第２の端末グループに属する端末装置へ前記第２の動作モードへの切替えを指示する、
前記（１２）に記載の通信制御装置。
（１４）
前記通信制御装置は、基地局であり、
前記基地局は、前記第２のリンク方向コンフィギュレーションに従って無線信号を送信し及び受信する無線通信部、をさらに備える、
前記（１）〜（１３）のいずれか１項に記載の通信制御装置。
（１５）
前記通信制御装置は、基地局を介して前記１つ以上の端末装置と通信する制御ノードである、前記（１）〜（１３）のいずれか１項に記載の通信制御装置。
（１６）
時分割複信（ＴＤＤ）方式に従って１つ以上の端末装置により行われる無線通信を、通信制御装置において制御するための通信制御方法であって、
複数のサブフレームを含むフレームの各々について、サブフレーム単位のリンク方向を表す第１のリンク方向コンフィギュレーション及び第２のリンク方向コンフィギュレーションを設定することと、
第１の周期で、前記第１のリンク方向コンフィギュレーションを第１の端末グループに属する端末装置へシグナリングすることと、
前記第１の周期よりも短い第２の周期で、前記第２のリンク方向コンフィギュレーションを第２の端末グループに属する端末装置へシグナリングすることと、
を含む通信制御方法。
（１７）
時分割複信（ＴＤＤ）方式に従って１つ以上の端末装置により行われる無線通信を制御する通信制御装置のコンピュータを、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
として機能させるためのプログラムであって、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
プログラム。
（１８）
時分割複信（ＴＤＤ）方式で基地局と通信する無線通信部と、
前記基地局からシグナリングされるリンク方向コンフィギュレーションに従い、複数のサブフレームを含むフレームの各々について、サブフレーム単位のリンク方向を設定する制御部と、
を備える端末装置であって、
前記制御部は、第１の端末グループのために設定される第１のリンク方向コンフィギュレーションのシグナリング周期よりも短いシグナリング周期で、前記端末装置が属する第２の端末グループのために設定される第２のリンク方向コンフィギュレーションのシグナリングを前記無線通信部に受信させる、
端末装置。
（１９）
時分割複信（ＴＤＤ）方式に従って無線通信する１つ以上の端末装置と、
前記１つ以上の端末装置により行われる前記無線通信を制御する通信制御装置と、
を含む通信制御システムであって、
前記通信制御装置は、
複数のサブフレームを含むフレームの各々について、サブフレーム単位のリンク方向を表すリンク方向コンフィギュレーションを設定する設定部と、
前記設定部により設定される前記リンク方向コンフィギュレーションを各端末装置へシグナリングする制御部と、
を備え、
前記設定部は、第１の端末グループのために第１のリンク方向コンフィギュレーションを設定し、第２の端末グループのために第２のリンク方向コンフィギュレーションを設定し、
前記制御部は、第１の周期で、前記第１の端末グループに属する端末装置へ前記第１のリンク方向コンフィギュレーションをシグナリングし、前記第１の周期よりも短い第２の周期で、前記第２の端末グループに属する端末装置へ前記第２のリンク方向コンフィギュレーションをシグナリングする、
通信制御システム。
【符号の説明】
【０１３７】
１        通信制御システム
１０      端末装置（第１の端末グループ：レガシー端末）
３０      端末装置（第２の端末グループ：ダイナミックＴＤＤ端末）
３１      無線通信部
３３      制御部
１００    通信制御装置
１１０    無線通信部
１４０    設定部
１５０    シグナリング制御部
１６０    スケジューリング部
１７０    記憶部
【図１】
2014006994.tif 000006
【図２】
2014006994.tif 000007
【図３Ａ】
2014006994.tif 000008
【図３Ｂ】
2014006994.tif 000009
【図４】
2014006994.tif 000010
【図５Ａ】
2014006994.tif 000011
【図５Ｂ】
2014006994.tif 000012
【図６】
2014006994.tif 000013
【図７】
2014006994.tif 000014
【図８】
2014006994.tif 000015
【図９】
2014006994.tif 000016
【図１０】
2014006994.tif 000017
【図１１】
2014006994.tif 000018
【図１２】
2014006994.tif 000019
【図１３】
2014006994.tif 000020
【図１４】
2014006994.tif 000021
【図１５】
2014006994.tif 000022
【図１６】
2014006994.tif 000023
【図１７】
2014006994.tif 000024
【図１８】
2014006994.tif 000025
【図１９】
2014006994.tif 000026
【図２０】
2014006994.tif 000027
【図２１】
2014006994.tif 000028
【図２２】
2014006994.tif 000029
【図２３Ａ】
2014006994.tif 000030
【図２３Ｂ】
2014006994.tif 000031
【図２４Ａ】
2014006994.tif 000032
【図２４Ｂ】
2014006994.tif 000033
【国際調査報告】
2014006994.tif 000034
2014006994.tif 000035
2014006994.tif 000036
2014006994.tif 000037